(57)【要約】【課題】新たなエンターテイメント性を備えたスロットマシンを提供する。【解決手段】ベーシックゲームのコントロールを行うコントローラを備え、ベーシックゲームにおいて「ＢＯＮＵＳ」のシンボルのコンビネーションがウィニングラインに停止したときに、セカンドゲーム開始信号を送信するスロットマシンと、スロットマシンとは別体であり、ルーレットゲームを行うセカンドゲーム装置と、セカンドゲーム装置のゲームステータスに応じた画像を表示するディスプレイと、を備える。更に、スロットマシン、セカンドゲーム装置及びディスプレイと通信可能であり、セカンドゲーム開始信号を受信することに応じてセカンドゲーム装置で行われるルーレットゲームを開始するセンターコントローラを備える。【選択図】図２
2008036396.tif 000002
【特許請求の範囲】
【請求項１】
下記構成を備えるゲームシステムであり、
ベーシックゲームのコントロールを行うコントローラを備え、所定の条件で前記ベーシックゲームとは別のセカンドゲームに移行する信号を送信するスロットマシンと、
前記スロットマシンとは別体であり、前記セカンドゲームを行うセカンドゲーム装置と、
前記セカンドゲーム装置のゲームステータスに応じた画像を表示し、かつ、前記スロットマシンで前記セカンドゲームを行うプレーヤから視認可能なディスプレイと、
前記スロットマシン、前記セカンドゲーム装置及び前記ディスプレイと通信可能であり、前記移行する信号を受信することに応じて前記セカンドゲーム装置で行われる前記セカンドゲームのスタート信号を送信するセンターコントローラと、を備える。
【請求項２】
請求項１のゲームシステムにおいて、
前記スロットマシンと、前記スロットマシンの近傍でプレーヤが座す座席と、が可動式床面に固設され、
前記センターコントローラは、前記移行する信号を受信することに応じて前記可動式床面を上方向に上昇作動させる。
【請求項３】
請求項１のゲームシステムにおいて、
前記センターコントローラのコントロールにより、前記セカンドゲーム装置のゲームステータスを撮像する撮像装置と、
前記セカンドゲーム装置で行われる前記セカンドゲームに参加可能なセカンドゲーム用端末と、を備える。
【請求項４】
請求項１のゲームシステムにおいて、
前記センターコントローラは、前記スロットマシンのコントローラが送信する前記ベーシックゲームでのクレジットデータに応じて前記セカンドゲーム装置で行われる前記セカンドゲームの配当を決定し、
前記セカンドゲームの勝敗結果に応じた配当データを前記スロットマシンに送信する。
【請求項５】
下記構成を備えるゲームシステムであり、
ベーシックゲームのコントロールを行うコントローラを備え、前記ベーシックゲームを行うプレーヤが座す座席と共に可動式床面に固設され、所定の条件で前記ベーシックゲームとは別のセカンドゲームに移行する信号を送信するスロットマシンと、
前記スロットマシンとは別体であり、前記セカンドゲームを行うセカンドゲーム装置と、
前記セカンドゲーム装置のゲームステータスに応じた画像を表示し、かつ、前記座席に座すプレーヤから視認可能なディスプレイと、
前記セカンドゲーム装置のゲームステータスを撮像する撮像装置と、
前記セカンドゲーム装置で行われる前記セカンドゲームに参加可能なセカンドゲーム用端末と、
前記スロットマシン、前記セカンドゲーム装置、前記ディスプレイ、前記撮像装置及び前記セカンドゲーム用端末と通信可能であり、前記移行する信号を受信することに応じて前記セカンドゲーム装置で行われる前記セカンドゲームのスタート信号を送信し、かつ、前記プレーヤと共に前記可動式床面を上方向に上昇作動させるセンターコントローラと、を備える。
【請求項６】
下記構成を備えるゲームシステムであり、
ベーシックゲームのコントロールを行うコントローラを備え、所定の条件で前記ベーシックゲームとは別のセカンドゲームに移行する信号を送信するスロットマシンと、
前記スロットマシンとは別体であり、前記セカンドゲームを行うセカンドゲーム装置と、
前記セカンドゲーム装置のゲームステータスに応じた画像を表示し、かつ、前記スロットマシンで前記セカンドゲームを行うプレーヤから視認可能なディスプレイと、
前記セカンドゲーム装置のゲームステータスを撮像する撮像装置と、
前記撮像装置により撮像された画像又は／及び前記ゲームステータスに応じた画像を表示面に表示し、他のプレーヤが前記表示面の所定領域面のタッチスイッチ部を操作して前記セカンドゲームに関する選択を行うことに応じて前記選択したデータを送信する前記他のプレーヤが使用するセカンドゲーム用端末と、
前記スロットマシン、前記セカンドゲーム装置、前記ディスプレイ、前記撮像装置及び前記セカンドゲーム用端末と通信可能であり、前記移行する信号を受信することに応じて、前記セカンドゲーム装置で行われる前記セカンドゲームのスタート信号を送信するセンターコントローラと、を備える。
【請求項７】
下記構成を備えるゲームシステムであり、
ベーシックゲームのコントロールを行うコントローラを備え、前記ベーシックゲームを行うプレーヤが座す座席と共に可動式床面に固設され、所定の条件で前記ベーシックゲームとは別のセカンドゲームに移行する信号を送信するスロットマシンと、
前記スロットマシンとは別体であり、前記セカンドゲームを行うセカンドゲーム装置と、
前記セカンドゲーム装置のゲームステータスに応じた画像を表示し、かつ、前記座席に座すプレーヤから視認可能なディスプレイと、
前記セカンドゲーム装置のゲームステータスを撮像する撮像装置と、
前記セカンドゲーム装置で行われる前記セカンドゲームに参加可能なセカンドゲーム用端末と、
前記スロットマシン、前記セカンドゲーム装置、前記ディスプレイ、前記撮像装置及び前記セカンドゲーム用端末と通信可能であり、前記移行する信号を受信することに応じて前記セカンドゲーム装置で行われる前記セカンドゲームのスタート信号を送信し、かつ、前記プレーヤと共に前記可動式床面を上方向に上昇作動させ、前記スロットマシンのコントローラが送信する前記ベーシックゲームでのクレジットデータに応じて前記セカンドゲーム装置で行われる前記セカンドゲームの配当を決定し、前記セカンドゲームの勝敗結果に応じた配当データを前記スロットマシンに送信するセンターコントローラと、を備える。
【請求項８】
下記構成を備えるゲームシステムであり、
ベーシックゲームのコントロールを行うコントローラを備え、前記ベーシックゲームを行うプレーヤが座す座席と共に可動式床面に固設され、所定の条件で前記ベーシックゲームとは別のセカンドゲームに移行する信号を送信するスロットマシンと、
前記スロットマシンとは別体であり、前記セカンドゲームを行うセカンドゲーム装置と、
前記セカンドゲーム装置のゲームステータスに応じた画像を表示し、かつ、前記座席に座すプレーヤから視認可能なディスプレイと、
前記セカンドゲーム装置のゲームステータスを撮像する撮像装置と、
前記撮像装置により撮像された画像又は／及び前記ゲームステータスに応じた画像を表示面に表示し、他のプレーヤが前記表示面の所定領域面のタッチスイッチ部を操作して前記セカンドゲームに関する選択を行うことに応じて前記選択したデータを送信する前記他のプレーヤが使用するセカンドゲーム用端末と、
前記スロットマシン、前記セカンドゲーム装置、前記ディスプレイ、前記撮像装置及び前記セカンドゲーム用端末と通信可能であり、前記移行する信号を受信することに応じて前記セカンドゲーム装置で行われる前記セカンドゲームのスタート信号を送信し、かつ、前記プレーヤと共に前記可動式床面を上方向に上昇作動させ、前記スロットマシンのコントローラが送信する前記ベーシックゲームでのクレジットデータに応じて前記セカンドゲーム装置で行われる前記セカンドゲームの配当を決定し、前記セカンドゲームの勝敗結果に応じた配当データを前記スロットマシンに送信するセンターコントローラと、を備える。
【請求項９】
下記構成を備えるゲーム制御方法であり、
ベーシックゲームのコントロールを行うコントローラを備えるスロットマシンと、
前記スロットマシンとは別体に構成されるセカンドゲーム装置と、
前記スロットマシンで前記ベーシックゲームとは別のセカンドゲームを行うプレーヤから視認可能なディスプレイと、を備えておき、
前記スロットマシンのコントローラが、所定の条件で前記セカンドゲームに移行する信号を送信する段階と、
センターコントローラが、前記セカンドゲームに移行する信号を受信する段階と、
前記センターコントローラが、前記セカンドゲーム装置で行われる前記セカンドゲームのスタート信号を送信する段階と、
前記センターコントローラが、前記セカンドゲーム装置のゲームステータスに応じた画像を前記ディスプレイに表示する段階と、を含む。
【請求項１０】
請求項９のゲーム制御方法において、
前記スロットマシンと、前記スロットマシンの近傍でプレーヤが座す座席と、が可動式床面に固設されており、
前記センターコントローラが、前記セカンドゲームに移行する信号を受信する段階と、
前記センターコントローラが、前記可動式床面を上方向に上昇作動させる段階と、を含む。
【請求項１１】
請求項９のゲーム制御方法において、
前記センターコントローラが、撮像装置をコントロールすることにより前記セカンドゲーム装置のゲームステータスを撮像する段階と、
前記センターコントローラが、前記セカンドゲームに参加可能なセカンドゲーム用端末をコントロールする段階と、を含む。
【請求項１２】
請求項９のゲーム制御方法において、
前記スロットマシンのコントローラが、前記ベーシックゲームでのクレジットデータを送信する段階と、
前記センターコントローラが、前記ベーシックゲームでのクレジットデータを受信する段階と、
前記センターコントローラが、前記セカンドゲーム装置で行われる前記セカンドゲームの配当を決定する段階と、
前記センターコントローラが、前記セカンドゲームの勝敗結果に応じた配当データを前記スロットマシンに送信する段階と、を含む。
【請求項１３】
下記構成を備えるゲーム制御方法であり、
ベーシックゲームのコントロールを行うコントローラを備え、前記ベーシックゲームを行うプレーヤが座す座席と共に可動式床面に固設されるスロットマシンと、
前記スロットマシンとは別体に構成されるセカンドゲーム装置と、
前記座席に座すプレーヤから視認可能なディスプレイと、
撮像装置と、
前記ベーシックゲームとは別のセカンドゲームに参加可能なセカンドゲーム用端末と、を備えておき、
前記スロットマシンのコントローラが、所定の条件で前記セカンドゲームに移行する信号を送信する段階と、
センターコントローラが、前記セカンドゲームに移行する信号を受信する段階と、
前記センターコントローラが、前記セカンドゲーム装置で行われる前記セカンドゲームのスタート信号を送信する段階と、
前記センターコントローラが、前記プレーヤと共に前記可動式床面を上方向に上昇作動させる段階と、
前記センターコントローラが、前記セカンドゲーム装置のゲームステータスを前記撮像装置に撮像させる段階と、
前記センターコントローラが、前記セカンドゲーム装置のゲームステータスに応じた画像を前記ディスプレイに表示する段階と、
前記センターコントローラが、前記セカンドゲーム用端末をコントロールする段階と、を含む。
【請求項１４】
下記構成を備えるゲーム制御方法であり、
ベーシックゲームのコントロールを行うコントローラを備えるスロットマシンと、
前記スロットマシンとは別体に構成されるセカンドゲーム装置と、
前記スロットマシンで前記ベーシックゲームとは別のセカンドゲームを行うプレーヤから視認可能なディスプレイと、
撮像装置と、
他のプレーヤが使用するセカンドゲーム用端末と、を備えておき、
前記スロットマシンのコントローラが、所定の条件で前記セカンドゲームに移行する信号を送信する段階と、
センターコントローラが、前記セカンドゲームに移行する信号を受信する段階と、
前記センターコントローラが、前記セカンドゲーム装置で行われる前記セカンドゲームのスタート信号を送信する段階と、
前記センターコントローラが、前記セカンドゲーム装置のゲームステータスを前記撮像装置に撮像させる段階と、
前記センターコントローラが、前記セカンドゲーム装置のゲームステータスに応じた画像を前記ディスプレイに表示する段階と、
前記セカンドゲーム用端末が、前記撮像装置により撮像された画像又は／及び前記ゲームステータスに応じた画像を表示面に表示する段階と、
前記セカンドゲーム用端末が、前記他のプレーヤが前記表示面の所定領域面のタッチスイッチ部を操作して前記セカンドゲームに関する選択を行うことに応じて前記選択したデータを送信する段階と、を含む。
【請求項１５】
下記構成を備えるゲーム制御方法であり、
ベーシックゲームのコントロールを行うコントローラを備え、前記ベーシックゲームを行うプレーヤが座す座席と共に可動式床面に固設されるスロットマシンと、
前記スロットマシンとは別体に構成されるセカンドゲーム装置と、
前記座席に座すプレーヤから視認可能なディスプレイと、
撮像装置と、
前記ベーシックゲームとは別のセカンドゲームに参加可能なセカンドゲーム用端末と、を備えておき、
前記スロットマシンのコントローラが、所定の条件で前記セカンドゲームに移行する信号を送信する段階と、
センターコントローラが、前記セカンドゲームに移行する信号を受信する段階と、
前記センターコントローラが、前記セカンドゲーム装置で行われる前記セカンドゲームのスタート信号を送信する段階と、
前記センターコントローラが、前記プレーヤと共に前記可動式床面を上方向に上昇作動させる段階と、
前記センターコントローラが、前記セカンドゲーム装置のゲームステータスを前記撮像装置に撮像させる段階と、
前記センターコントローラが、前記セカンドゲーム装置のゲームステータスに応じた画像を前記ディスプレイに表示する段階と、
前記センターコントローラが、前記セカンドゲーム用端末をコントロールする段階と、
前記スロットマシンのコントローラが、前記ベーシックゲームでのクレジットデータを送信する段階と、
前記センターコントローラが、前記ベーシックゲームでのクレジットデータを受信する段階と、
前記センターコントローラが、前記セカンドゲームの配当を決定する段階と、
前記センターコントローラが、前記セカンドゲームの勝敗結果に応じた配当データを前記スロットマシンに送信する段階と、を含む。
【請求項１６】
下記構成を備えるゲーム制御方法であり、
ベーシックゲームのコントロールを行うコントローラを備え、前記ベーシックゲームを行うプレーヤが座す座席と共に可動式床面に固設されるスロットマシンと、
前記スロットマシンとは別体に構成されるセカンドゲーム装置と、
前記座席に座すプレーヤから視認可能なディスプレイと、
撮像装置と、
他のプレーヤが使用するセカンドゲーム用端末と、を備えておき、
前記スロットマシンのコントローラが、所定の条件で前記ベーシックゲームとは別のセカンドゲームに移行する信号を送信する段階と、
センターコントローラが、前記セカンドゲームに移行する信号を受信する段階と、
前記センターコントローラが、前記セカンドゲーム装置で行われる前記セカンドゲームのスタート信号を送信する段階と、
前記センターコントローラが、前記プレーヤと共に前記可動式床面を上方向に上昇作動させる段階と、
前記センターコントローラが、前記セカンドゲーム装置のゲームステータスを前記撮像装置に撮像させる段階と、
前記センターコントローラが、前記セカンドゲーム装置のゲームステータスに応じた画像を前記ディスプレイに表示する段階と、
前記セカンドゲーム用端末が、前記撮像装置により撮像された画像又は／及び前記ゲームステータスに応じた画像を表示面に表示する段階と、
前記セカンドゲーム用端末が、前記他のプレーヤが前記表示面の所定領域面のタッチスイッチ部を操作して前記セカンドゲームに関する選択を行うことに応じて前記選択したデータを送信する段階と、
前記スロットマシンのコントローラが、前記ベーシックゲームでのクレジットデータを送信する段階と、
前記センターコントローラが、前記ベーシックゲームでのクレジットデータを受信する段階と、
前記センターコントローラが、前記セカンドゲームの配当を決定する段階と、
前記センターコントローラが、前記セカンドゲームの勝敗結果に応じた配当データを前記スロットマシンに送信する段階と、を含む。
【発明の詳細な説明】
【技術分野】
【０００１】
本発明は、スロットマシンを含むゲームシステム及びゲーム制御方法に関するものである。
【背景技術】
【０００２】
従来のスロットマシンは、米国特許第６６３４９４１号明細書や、米国特許出願公開第２００４／１１０５５８号明細書に開示されているように、ベーシックゲームの他に、ベーシックゲームよりもプレーヤに有利となる可能性が高いフリーゲームやボーナスゲームを行うスロットマシンが知られている。フリーゲームやボーナスゲームは、セカンドゲームの１つを示すものである。セカンドゲームでは、例えば、この開示されているスロットマシンにおいては、特別なシンボルが表示されて賞を付与する特定のコンビネーションの確率が高くなったり、賞を付与する特定のコンビネーションとなった場合の払い出しが大きくなったりする。
【特許文献１】米国特許第６６３４９４１号明細書
【特許文献２】米国特許出願公開第２００４／１１０５５８号明細書
【発明の開示】
【発明が解決しようとする課題】
【０００３】
また、他の開示されているスロットマシンにおいては、セカンドゲームにおいてプレーヤが獲得し得る配当値をセカンドゲーム前にプレーヤに表示する。
【０００４】
このような従来のスロットマシンは、セカンドゲームを同一のスロットマシンの筐体で行うものである。本発明は、更なる新たなエンターテイメント性を備えたスロットマシンを提供する。
【課題を解決するための手段】
【０００５】
本発明の第１のアスペクトは、下記構成を備えるゲームシステムであり、スロットマシンと、セカンドゲームを行うセカンドゲーム装置と、セカンドゲーム装置のゲームステータスに応じた画像を表示するディスプレイと、はセンターコントローラと通信可能である。スロットマシンは、ベーシックゲームのコントロールを行うコントローラを備え、所定の条件でベーシックゲームとは別のセカンドゲームに移行する信号を送信する。また、ディスプレイは、スロットマシンでセカンドゲームを行うプレーヤから視認可能である。また、センターコントローラは、移行する信号を受信することに応じてセカンドゲーム装置で行われるセカンドゲームのスタート信号を送信する。
【０００６】
本発明の第１のアスペクトのゲームシステムでは、スロットマシンがベーシックゲームから所定の条件によりセカンドゲームに移行する信号をセンターコントローラに送信したことに応じて、センターコントローラは、例えば、ルーレットゲーム装置のようなセカンドゲーム装置にセカンドゲームを開始するスタート信号を送信する。
【０００７】
本発明の第２のアスペクトは、下記構成を備えるゲームシステムであり、スロットマシンと、スロットマシンの近傍でプレーヤが座す座席と、が可動式床面に固設され、センターコントローラは、スロットマシンから送信されたセカンドゲームに移行する信号を受信することに応じてスロットマシン及び座席が固設された床面を上方向に上昇作動させる。
【０００８】
本発明の第２のアスペクトのゲームシステムでは、セカンドゲームが開始される際には、セカンドゲームを行うプレーヤがゲームを行っているスロットマシンが、プレーヤの座席と共に上方面に上昇する。
【０００９】
本発明の第３のアスペクトは、下記構成を備えるゲームシステムであり、センターコントローラのコントロールにより、セカンドゲーム装置のゲームステータスを撮像する撮像装置と、セカンドゲーム装置で行われるセカンドゲームに参加可能なセカンドゲーム用端末と、を備える。
【００１０】
本発明の第３のアスペクトのゲームシステムでは、セカンドゲームのゲームステータスをビデオで撮影する。また、他のプレーヤがセカンドゲームに参加できるセカンドゲーム用端末を備える。
【００１１】
本発明の第４のアスペクトは、下記構成を備えるゲームシステムであり、センターコントローラは、スロットマシンのコントローラが送信するベーシックゲームでのクレジットデータに応じてセカンドゲーム装置で行われるセカンドゲームの配当を決定する。また、センターコントローラは、セカンドゲームの勝敗結果に応じた配当データをスロットマシンに送信する。
【００１２】
本発明の第４のアスペクトのゲームシステムでは、スロットマシンは、ベーシックゲームでのクレジットを、そのままセカンドゲームのクレジットとするためにセンターコントローラに送信する。また、セカンドゲームの勝敗結果に応じた配当データは、スロットマシンに送信される。
【００１３】
本発明の第５のアスペクトは、下記構成を備えるゲームシステムであり、セカンドゲーム用端末は、撮像装置により撮像された画像又は／及び前記ゲームステータスに応じた画像を表示面に表示し、他のプレーヤが表示面の所定領域面のタッチスイッチ部を操作してセカンドゲームに関する選択を行うことに応じて選択したデータを送信する。
【００１４】
本発明の第５のアスペクトのゲームシステムでは、セカンドゲーム用端末は、画像を表示する表示面のタッチスイッチ部を操作することによって選択された選択データを送信する。
【発明の効果】
【００１５】
本発明によれば、プレーヤは、スロットマシンとは別体のセカンドゲーム装置を用いたセカンドゲームを楽しむことができる。
【発明を実施するための最良の形態】
【００１６】
本実施形態に係るゲームシステム１０の概略構成について図２に基づき説明する。図２は、本実施形態に係るゲームシステム１０の外観構成を示す斜視図である。この図２に示されるように、ゲームシステム１０は、主にスロットマシン１３、セカンドゲーム装置１１及びセカンドゲーム用端末１５により構成される。セカンドゲーム装置１１は、例えば、ルーレットゲームのゲーム装置を指す。スロットマシン１３は、後述の図１９で説明するベーシックゲームの他に、所定の条件で、後述の図２０Ａ乃至図２０Ｄで説明するセカンドゲームでルーレットゲームのベット操作を行うことができる。
【００１７】
また、ゲームシステム１０には、大型のモニタ１６が設けられており、このモニタ１６にセカンドゲーム（以下、ルーレットゲームともいう）の進行状況として、プレーヤのベットした状態を示すベッティングボード７１（後述の図１０参照）、ベット可能な残り時間を示すＢＥＴタイム、及び当選番号等を表示するディスプレイ６９の内容を表示すると共に、後述する視点可動カメラ１７によって撮影されたルーレットが回転している映像、又はプレーヤの画像等が必要に応じて表示されるようになっている。
【００１８】
複数個（本実施形態では８個）のスロットマシン１３は、セカンドゲーム装置１１の周囲を囲むように、かつ、スロットマシン１３のプレーヤが大型のモニタ１６を見ることができるような方向に設けられている。また、各スロットマシン１３と、プレーヤが座る椅子５７とが可動式床面１８の上に設置されており、セカンドゲームが開始されると、セカンドゲームに移行したスロットマシン１３が、可動式床面１８の上昇に伴って、椅子５７と一体となって上昇するように構成されている。
【００１９】
また、ゲームシステム１０には、ルーレットゲームに参加可能な複数個（本実施形態では４個）のセカンドゲーム用端末１５が、大型のモニタ１６を前面に見ることができる位置に設けられている。このセカンドゲーム用端末１５は、ルーレットゲーム専用端末であり、スロットマシン１３でセカンドゲームが開始された場合に、他のプレーヤが当該セカンドゲームに参加することができるための端末である。
【００２０】
また、ゲームシステム１０には、複数台（本実施形態では４台）の視点可動カメラ１７が設置されている。視点可動カメラ１７のうち１台は、後述の図１０に示すルーレット装置６０を撮影するためのものであり、ルーレットの回転や、ルーレットが停止したときのボール６５の位置を撮影し、モニタ１６に表示する。ルーレット装置６０を撮影する視点可動カメラ１７は、ルーレット装置６０の上方から垂直に下方向に向けて撮影できるように配置されている。このルーレット装置６０を撮影する視点可動カメラ１７は、ルーレットが回転する前には、プレーヤや、後述するベッティングボード７１を含むＢＥＴ画面７０を表示するディスプレイ６９などの他の撮影を行うようにしてもよい。その他の視点可動カメラ１７は、プレーヤの表情を捉えるためにモニタ１６の上面に設置されている。視点可動カメラ１７によって撮影された映像は、大型のモニタ１６の他、スロットマシン１３の液晶ディスプレイ３０（図３参照）及びセカンドゲーム用端末１５のディスプレイ９３（図１２参照）に表示される。これらのゲームシステム１０は、カジノなどの遊技施設内に設置される。
【００２１】
続いて、図１は、本発明に係るゲームシステム１０の構成を示すブロック図を示すものである。この図１に示すゲームシステム１０において、ネットワーク１２には、スロットマシン１３、セカンドゲーム装置１１、センターコントローラ１４及びセカンドゲーム用端末１５が接続されている。センターコントローラ１４は、当該ネットワーク１２を介してスロットマシン１３、セカンドゲーム装置１１、セカンドゲーム用端末１５をコントロールすることができる。
【００２２】
各スロットマシン１３は、プレーヤがベーシックゲームを行うことが可能なスロットマシンである。また、スロットマシン１３は、所定の条件でベーシックゲームからセカンドゲームに移行する信号を送信する。セカンドゲームは、センターコントローラ１４のコントロールの元、セカンドゲーム装置１１で行われるゲームであり、プレーヤの使用しているスロットマシン１３がセカンドゲーム用の端末として機能することにより、プレーヤは、ルーレットゲームのベット操作を行うことが可能となる。このような構成により、プレーヤは、スロットマシン１３とは別体のセカンドゲーム装置１１を用いたセカンドゲームを楽しむことができる。
【００２３】
また、セカンドゲーム用端末１５は、ネットワーク１２を介してセンターコントローラ１４と接続されている。セカンドゲーム装置１１でルーレットゲームが開始された際には、スロットマシン１３とは別に、当該セカンドゲーム用端末１５を用いてセカンドゲームを行うことができるように構成されている。そのため、遊技施設にいる第三者が、ルーレットゲームが開始されたことに応じて、セカンドゲーム用端末１５を用いて当該ルーレットゲームのプレーヤとなることができる。このように、ルーレットゲームに参加する機会をベーシックゲームを行っていない他のプレーヤにも与えることにより、ルーレットゲームの興趣性を向上させる契機となる。
【００２４】
図３は、本発明の実施の形態に係るスロットマシン１３を示す斜視図である。スロットマシン１３は、キャビネット２０及びメインドア４２を備えている。キャビネット２０は、プレーヤに臨む面が開放されている。このキャビネット２０内には、本スロットマシン１３を電気的にコントロールするためのコントローラ１００（図５及び図８参照）、並びにコイン（ゲーム媒体）の投入、貯留及び払出をコントロールするためのホッパー４４（図５及び図８参照）等を含む各種の構成部材が設けられている。ゲーム媒体としては、コインに限るものではなく、例えば、メダル、トークン、電子マネー又はこれらに相当する電子的な有価情報（クレジット）を挙げることができる。
【００２５】
メインドア４２は、キャビネット２０の内部が外側に露呈しないように覆うための部材であり、このメインドア４２の略中央には、液晶ディスプレイ３０が設けられている。
【００２６】
液晶ディスプレイ３０は、演出画像等を含むゲームに関する各種の画像を表示させるためのものである。プレーヤは、当該液晶ディスプレイ３０に表示された各種の画像を視認しながらゲームを進めていく。特に、ルーレットゲームにおいては、液晶ディスプレイ３０に後述の図２３に示すＢＥＴ画面７０を表示する。この液晶ディスプレイ３０は、透明液晶パネル３４（図６及び図７参照）を備えている。この透明液晶パネル３４は、その一部又は全部を透明／非透明の状態に切り替えることが可能であると共に、各種の画像を表示することが可能である。なお、液晶ディスプレイ３０の詳細な構成については後述する。
【００２７】
スロットマシン１３がビデオリールにより構成されている場合には、液晶ディスプレイ３０に５個の仮想リールを表示させる。なお、ビデオリールとは、メカニカルリールの代わりに、液晶ディスプレイ３０上に画像のリールを表示させるものである。ベーシックゲームに必要な複数種類のシンボルとして、「ＢＯＮＵＳ」、「ＷＩＬＤ」、「ＴＲＥＡＳＵＲＥ  ＢＯＸ」、「ＧＯＬＤＥＮ  ＭＡＳＫ」、「ＨＯＬＹ  ＣＵＰ」、「ＣＯＭＰＡＳＳ＆ＭＡＰ」、「ＳＮＡＫＥ」、「Ａ」、「Ｋ」、「Ｑ」、「Ｊ」、「１０」の各シンボルをリールが回転しているかのような画像と共に表示する。
【００２８】
一方、スロットマシン１３がメカニカルリールにより構成されている場合、液晶ディスプレイ３０の背面側には、各々の外周面に複数種類のシンボルが描かれた５個のメカニカルリール３Ａ、３Ｂ、３Ｃ、３Ｄ、３Ｅ（図４及び図６参照）が回転可能に横一列に設けられている。メカニカルリール３Ａ〜３Ｅは、後述するステッピングモータ４５Ａ、４５Ｂ、４５Ｃ、４５Ｄ、４５Ｅ（図８参照）等と共に複数のシンボルを表示するものとして構成するものである。その外周面には、前述のようなベーシックゲームに必要な複数種類のシンボルが描かれている。これらの各メカニカルリール３Ａ〜３Ｅの各種のシンボルは、透明液晶パネル３４が透明状態となった際に視認可能となる。
【００２９】
液晶ディスプレイ３０の下方には、略水平の操作部２１が設けられている。この操作部２１の右側には、スロットマシン１３内にコインを投入するためのコイン投入口２２が設けられている。他方、操作部２１の左側には、後述する９本の賞を付与するためのラインＬ１、Ｌ２、Ｌ３、Ｌ４、Ｌ５、Ｌ６、Ｌ７、Ｌ８、Ｌ９のいずれを有効化するかを決定し当該有効化された賞を付与するためのライン（以下、単に「ウィニングライン」という）に対して賭けるゲーム媒体としてのコインの枚数を選択するためのＢＥＴスイッチ２３、及び１つ前のゲームにおいて上記ウィニングラインに対して賭けたコインの枚数を変更せずに再びゲームを行うためのスピン・リピート・ベットスイッチ２４が設けられている。これらのＢＥＴスイッチ２３又はスピン・リピート・ベットスイッチ２４を押圧操作することで、当該操作に応じて上記ウィニングラインに対する賭けコインの枚数が決定される。
【００３０】
上記操作部２１において、ＢＥＴスイッチ２３の左側には、１ゲーム毎にプレーヤのベーシックゲームの開始操作を受け付けるスタートスイッチ２５が設けられている。このスタートスイッチ２５及びスピン・リピート・ベットスイッチ２４のうちのいずれか一方に対する押圧操作がゲームの開始のトリガーとなり、上記の５個のメカニカルリール３Ａ〜３Ｅの回転が開始される。
【００３１】
他方、上記操作部２１において、コイン投入口２２の近傍には、キャッシュアウトスイッチ２６が設けられている。プレーヤがキャッシュアウトスイッチ２６を押圧操作したときには、投入されているコインがメインドア４２の正面下部に開口されたコイン払出口２７から払出され、この払出されたコインは、コイントレイ２８に溜められる。このコイントレイ２８の上方であって、コイン払出口２７を挟んだ左右両側には、キャビネット２０の内部に収納されたスピーカ４１（図５及び図８参照）から発せられた効果音をキャビネット２０の外部へ伝播するための透音口２９が設けられている。
【００３２】
図４は、スロットマシン１３の表示領域を拡大して示すものである。スロットマシン１３の液晶ディスプレイ３０は、正面パネル３１及びこの正面パネル３１の裏面に設けられた透明液晶パネル３４（図６及び図７参照）を備えている。正面パネル３１は、透明な表示面３１ａ及び絵柄が形成された絵柄形成領域３１ｂを含んで構成される。正面パネル３１の裏面に設けられた透明液晶パネル３４に表示された画像情報は、当該正面パネル３１の表示面３１ａを介して視認することができる。他方、上記透明液晶パネル３４の領域が透明状態であるときには、透明液晶パネル３４の後方に配設される５個のメカニカルリール３Ａ〜３Ｅ各々のシンボルを、表示面３１ａを介して、視認することができる。なお、スロットマシン１３がビデオリールで構成される場合には、透明液晶パネル３４を非透明状態にして画像のリールを表示させてもよいし、透明液晶パネル３４ではなく、単なる液晶パネルを使用してもよい。
【００３３】
液晶ディスプレイ３０の左側の背面側には、ペイアウト数表示部４８、クレジット数表示部４９及びＢＥＴ数表示部５０の各種の表示部が設けられている。なお、正面パネル３１の絵柄形成領域３１ｂは、上記各種表示部４８〜５０の前方を覆う部分が透明であり、当該各種表示部４８〜５０の表示内容が視認可能である。
【００３４】
本スロットマシン１３は、図４に示すように９本の賞を付与するためのラインＬ１〜Ｌ９を有している。これらの各賞を付与するためのラインＬ１〜Ｌ９は、全てのメカニカルリール３Ａ〜３Ｅの回転が停止したときに、又は、５個のビデオリールが停止したときに、各メカニカルリール３Ａ〜３Ｅの１つのシンボルを通過するように延びている。
【００３５】
上記のＢＥＴスイッチ２３を１回押すと、例えば、第３の賞を付与するためのラインＬ３、第５の賞を付与するためのラインＬ５及び第７の賞を付与するためのラインＬ７が有効化されると共に１枚のコインがクレジットメダルとして取り込まれる。
【００３６】
上記のＢＥＴスイッチ２３を２回押すと、上記の３ラインに加えて、例えば、第１の賞を付与するためのラインＬ１、第４の賞を付与するためのラインＬ４及び第８の賞を付与するためのラインＬ８が有効化されると共に２枚のコインがクレジットメダルとして取り込まれる。
【００３７】
上記のＢＥＴスイッチ２３を３回押すと、上記の６ラインに加えて、例えば、第２の賞を付与するためのラインＬ２、第６の賞を付与するためのラインＬ６及び第９の賞を付与するためのラインＬ９が有効化されると共に３枚のコインがクレジットメダルとして取り込まれる。
【００３８】
本実施の形態で実行可能なゲームは、ウィニングラインに沿ってシンボルを揃えるベーシックゲームである。このベーシックゲームで所定の条件により、所定の条件により与えられるベーシックゲームでのコインを用いてセカンドゲームに移行する。
【００３９】
ペイアウト数表示部４８は、ウィニングラインに沿って賞を付与するためのコンビネーションが成立した時のコインのペイアウト数を表示するためのものである。クレジット数表示部４９は、本スロットマシン１３にストアーされているコインのクレジット数を表示するためのものである。ＢＥＴ数表示部５０は、上記ウィニングラインに対する賭けコインの枚数であるＢＥＴ数を表示するためのものである。当該各種表示部４８〜５０は、７セグメント表示器を含んで構成される。代替的に、各種表示部４８〜５０を透明液晶パネル３４上に画像表示するようにしても構わない。
【００４０】
図５は、ビデオリールを有するスロットマシン１３のコントローラ１００の電気的構成を示すブロック図である。なお、メカニカルリールを有するスロットマシン１３については後述の図８に示す。図５に示すように、スロットマシン１３のコントローラ１００は、マイクロコンピュータであって、インターフェイス回路群１０２、入出力バス１０４、ＣＰＵ１０６、ＲＯＭ１０８、ＲＡＭ１１０、通信用インターフェイス回路１１１、乱数発生器１１２、スピーカ駆動回路１２２、ホッパー駆動回路１２４、表示部駆動回路１２８及び表示／入力コントローラ１４０を備えている。
【００４１】
インターフェイス回路群１０２は、入出力バス１０４に接続されており、この入出力バス１０４は、ＣＰＵ１０６に対するデータ信号又はアドレス信号の入出力を行う。
【００４２】
インターフェイス回路群１０２には、スタートスイッチ２５が接続されている。このスタートスイッチ２５から出力された始動信号は、インターフェイス回路群１０２において所定の信号に変換された後、入出力バス１０４に供給される。
【００４３】
インターフェイス回路群１０２には、ＢＥＴスイッチ２３、スピン・リピート・ベットスイッチ２４及びキャッシュアウトスイッチ２６も接続されている。これらのスイッチ２３、２４、２６から出力された各スイッチング信号も、インターフェイス回路群１０２に供給され、当該インターフェイス回路群１０２によって所定の信号に変換された後、入出力バス１０４に供給される。
【００４４】
インターフェイス回路群１０２には、コインセンサ４３も接続されている。コインセンサ４３は、コイン投入口２２に投入されたコインを検出するためのセンサであって、コイン投入口２２に関連して設けられている。このコインセンサ４３から出力されたセンシング信号も、インターフェイス回路群１０２に供給され、当該インターフェイス回路群１０２によって所定の信号に変換された後、入出力バス１０４に供給される。
【００４５】
入出力バス１０４には、ＲＯＭ１０８及びＲＡＭ１１０が接続されている。
【００４６】
ＣＰＵ１０６は、スタートスイッチ２５によりベーシックゲームのスタート操作が受け付けられたことを契機として、ベーシックゲームプログラムを読み出してベーシックゲームを実行する。ベーシックゲームプログラムは、表示／入力コントローラ１４０を介して液晶ディスプレイ３０に５個のビデオリールのシンボルのスクロールを開始させる表示を行い、その後５個のビデオリールを停止させる表示を行うことによって５個のビデオリールのシンボルの再配置をさせ、そのときの停止したシンボルのコンビネーションがウィニングラインに示されており、かつ、賞を付与する特定のコンビネーションを示す場合には、その賞を付与する特定のコンビネーションに応じたコインを払い出すようにプログラミングされている。
【００４７】
また、ＣＰＵ１０６は、セカンドゲームのコントロールも行う。それゆえ、このＣＰＵ１０６は、５個のビデオリールのシンボルが停止表示された際に所定の条件を満たすと、セカンドゲームを実行するための信号を送信する。
【００４８】
ＲＯＭ１０８には、本スロットマシン１３を統括してコントロールするコントロールプログラム、図１９及び図２０Ａ乃至図２０Ｄに示すルーチンを実行するためのプログラム（以下、「ルーチン実行プログラム」とする）、コントロールプログラムを実行するための初期データ、及び決定処理において使用される種々のデータテーブルが格納されている。なお、ルーチン実行プログラムには、上記ベーシックゲームプログラム等が含まれている。また、データテーブルとしては、図１７及び図１８に示すテーブル等を挙げることができる。ＲＡＭ１１０は、上記コントロールプログラムで使用するフラグや変数の値等を一時的に記憶する。
【００４９】
入出力バス１０４には、通信用インターフェイス回路１１１も接続されている。この通信用インターフェイス回路１１１は、ＬＡＮの各種のネットワーク網を含むネットワーク１２を介して、センターコントローラ１４等との通信をするための回路である。本実施形態では、ＣＰＵ１０６は、ベーシックゲームを行っているときに所定の条件でセカンドゲームに移行するが、この通信用インターフェイス回路１１１を経由して、センターコントローラ１４にセカンドゲーム開始信号の送信等がなされる。また、センターコントローラ１４から受信したＢＥＴ画面７０を表示するために必要なデータを、通信用インターフェイス回路１１１を経由して受信し、ＣＰＵ１０６は、当該ＢＥＴ画面７０の画像として液晶ディスプレイ３０に表示する。その後、液晶ディスプレイ３０は、スロットマシン１３がセカンドゲームでのベット操作を行うための端末として機能する。
【００５０】
入出力バス１０４には、乱数を発生するための乱数発生器１１２も接続されている。この乱数発生器１１２は、一定の範囲の数値、例えば、「０」〜「６５５３５（２の１６乗−１）」に含まれる乱数を発生する。代替的に、ＣＰＵ１０６の演算処理により乱数を発するように構成しても構わない。
【００５１】
入出力バス１０４には、上記各種表示部４８〜５０を駆動するための表示部駆動回路１２８も接続されている。ＣＰＵ１０６は、所定の事象が発生することに応じて、表示部駆動回路１２８を介して、上記各種表示部４８〜５０の動作をコントロールする。
【００５２】
入出力バス１０４には、スピーカ４１を駆動するためのスピーカ駆動回路１２２も接続されている。ＣＰＵ１０６は、ＲＯＭ１０８に記憶されている音データを読み出し、入出力バス１０４を介して、当該読み出した音データをスピーカ駆動回路１２２に送信する。これにより、スピーカ４１から所定の効果音が発せられる。
【００５３】
入出力バス１０４には、ホッパー４４を駆動するためのホッパー駆動回路１２４も接続されている。ＣＰＵ１０６は、キャッシュアウトスイッチ２６からのキャッシュアウト信号が入力されると、入出力バス１０４を介して、駆動信号をホッパー駆動回路１２４に出力する。これにより、ホッパー４４は、ＲＡＭ１１０の所定のメモリ領域に記憶されたその時点におけるクレジットの残数分に相当するコインを払い出す。
【００５４】
入出力バス１０４には、表示／入力コントローラ１４０も接続されている。ＣＰＵ１０６は、ゲームの状態及びゲームの結果に応じた画像表示命令を生成し、入出力バス１０４を介して、当該生成した画像表示命令を表示／入力コントローラ１４０に出力する。ＣＰＵ１０６からの画像表示命令が入力されると、表示／入力コントローラ１４０は、当該入力された画像表示命令に基づき液晶ディスプレイ３０を駆動するための駆動信号を生成し、この生成した駆動信号を液晶ディスプレイ３０に出力する。これにより、液晶ディスプレイ３０の透明液晶パネル３４上には、所定の画像が表示される。表示／入力コントローラ１４０は、液晶ディスプレイ３０上のタッチパネル３２が入力を受けた信号を入力信号として、入出力バス１０４を介してＣＰＵ１０６に送信する。
【００５５】
図６及び図７は、スロットマシン１３の液晶ディスプレイ３０の構成を示すための図である。液晶ディスプレイ３０は、ベーシックゲーム及びセカンドゲームに関するゲーム画像を表示する。それゆえ、この液晶ディスプレイ３０は、タッチパネル３２及び表示板３３を備えた正面パネル３１、透明液晶パネル３４、導光板３５、反射フィルム３６、いわゆる白色光源である蛍光ランプ３７ａ、３７ｂ及び３８ａ、３８ｂ、ランプホルダ３９ａ、３９ｂ、３９ｃ、３９ｄ、３９ｅ、３９ｆ、３９ｇ、３９ｈ並びに透明液晶パネル駆動用のＩＣを搭載したテーブルキャリアパッケージ（ＴＣＰ）から成る。なお、ＴＣＰは、図６及び図７において特に図示していないが、透明液晶パネル３４の端子部に接続したフレキシブル基板（図示せず）等により構成される。
【００５６】
液晶ディスプレイ３０は、メカニカルリール３Ａ〜３Ｅの表示領域より手前側（表示面３１ａより手前側）に、当該メカニカルリール３Ａ〜３Ｅを跨いで設けられている。これらメカニカルリール３Ａ〜３Ｅ及び液晶ディスプレイ３０同士は、所定の間隔を空けて設けられている。なお、ビデオリールの場合には、メカニカルリール３Ａ〜３Ｅの代わりに、液晶ディスプレイ３０上に画像のリールを表示する。
【００５７】
タッチパネル３２は、透明な部材で構成されている。表示板３３は、透明な部材で構成され、この表示板３３には、上記の各種表示部４８〜５０との間の領域に対応する位置等に絵柄等が形成されている。すなわち、表示板３３の絵柄等が形成されている領域が、正面パネル３１における絵柄形成領域３１ｂであり、他方、表示板３３の絵柄等が形成されていない領域が、正面パネル３１における表示面３１ａである（図４参照）。代替的に、正面パネル３１に絵柄形成領域３１ｂを形成せず、正面パネル３１の全面を表示面３１ａとしても構わない。この場合、表示板３３に絵柄を形成しないか或いは表示板３３を省略すればよい。
【００５８】
なお、図６及び図７においては、表示板３３の裏面側に配置された各種表示部４８〜５０を動作させる電気回路等は、図示していない旨を念のため言及しておく。
【００５９】
透明液晶パネル３４は、薄膜トランジスタ層が形成されたガラス板等の透明な基板と、これに対向する透明な基板との間隙部に液晶が封入されることによって形成されている。この透明液晶パネル３４の表示モードは、ノーマリーホワイトに設定されている。ノーマリーホワイトとは、液晶を駆動していない状態で白表示（表示面側に透過した光が外部より視認可能である）となることをいう。このように、ノーマリーホワイトに設定された透明液晶パネル３４を採用することにより、液晶を駆動することができない事態が生じた場合であっても、メカニカルリール３Ａ〜３Ｅ各々のシンボルの変動表示及び停止表示を視認することができるので、プレーヤは、ゲームを継続することができる。すなわち、上記のような事態が発生した場合でも、各メカニカルリール３Ａ〜３Ｅのシンボルの再配置を中心としたゲームを行うことができる。
【００６０】
導光板３５は、蛍光ランプ３７ａ、３７ｂからの光を透明液晶パネル３４へ導き出す（換言すると、透明液晶パネル３４を照明する）ためのものであり、透明液晶パネル３４の裏側に設けられ、例えば、２ｃｍ程度の厚さを有するアクリル系樹脂等の透明部材（導光機能を有する）で構成されている。
【００６１】
反射フィルム３６は、例えば、白色のポリエステルフィルムやアルミニウム薄膜に銀蒸着膜を形成したものが用いられ、導光板３５に導入された光を導光板３５の正面側へ向けて反射させる。この反射フィルム３６は、反射領域３６Ａ及び非反射領域（透過領域）３６Ｂにより構成されている。非反射領域３６Ｂは、透明な材料で形成され、正面パネル３１のメカニカルリール３Ａ〜３Ｅの前方を覆う部分を含む領域に設けられている。
【００６２】
蛍光ランプ３７ａ及び３７ｂは、導光板３５の上端部及び下端部に沿って配置され、その両端は、ランプホルダ３９ａ、３９ｂ及び３９ｇ、３９ｈにより支持されている。これらの蛍光ランプ３７ａ、３７ｂから照射される光は、反射フィルム３６の反射領域３６Ａで反射して透明液晶パネル３４を照明する。他方、蛍光ランプ３８ａ及び３８ｂは、反射フィルム３６の裏側の上方位置及び下方位置においてメカニカルリール３Ａ〜３Ｅに向かって配置され、その両端は、ランプホルダ３９ｃ、３９ｄ及び３９ｅ、３９ｆにより支持されている。これらの蛍光ランプ３８ａ、３８ｂから出てメカニカルリール３Ａ〜３Ｅの表面で反射して非反射領域３６Ｂへ入射した光は、透明液晶パネル３４を照明する。このように、液晶ディスプレイ３０においては、蛍光ランプ３７ａ、３７ｂから照射され、かつ、更に反射フィルム３６の反射領域３６Ａで反射した光、並びに蛍光ランプ３８ａ、３８ｂから照射され、かつ、更にメカニカルリール３Ａ〜３Ｅの表面で反射して非反射領域３６Ｂへ入射した光が、透明液晶パネル３４を照明する。従って、反射フィルム３６の非反射領域３６Ｂに対応する液晶ディスプレイ３０の領域は、液晶を駆動しているか否かによって、透明／非透明の状態に切り替わる領域であり、他方、反射フィルム３６の反射領域３６Ａに対応する液晶ディスプレイ３０の領域は、液晶を駆動しているか否かに拘わらず非透明状態となる。
【００６３】
本スロットマシン１３では、液晶ディスプレイ３０の表示面の一部領域のみを透明／非透明の状態に切り替わる領域としているが、液晶ディスプレイ３０の表示画面の全領域が透明／非透明の状態に切り替わる領域としても構わない。このように、液晶ディスプレイ３０の全領域を透過状態又は非透過状態に切り替わる領域とする場合には、反射フィルム３６を全て非反射領域３６Ｂとするか或いは反射フィルム３６を省略すればよい。
【００６４】
図８は、メカニカルリールのスロットマシン１３のコントローラ１００の電気的構成を示すブロック図である。図８に示すように、スロットマシン１３のコントローラ１００は、マイクロコンピュータであって、インターフェイス回路群１０２、入出力バス１０４、ＣＰＵ１０６、ＲＯＭ１０８、ＲＡＭ１１０、通信用インターフェイス回路１１１、乱数発生器１１２、モータ駆動回路１２０、スピーカ駆動回路１２２、ホッパー駆動回路１２４、表示部駆動回路１２８及び表示／入力コントローラ１４０を備えている。なお、図５で説明したビデオリールの場合との構成は一部を除き同じであるため、ここでは、図５で説明したビデオリールの場合と異なる部分のみを説明することとする。
【００６５】
インターフェイス回路群１０２には、リール位置検出回路４６が接続されている。リール位置検出回路４６は、リール回転位置センサ（図示せず）からのパルス信号に基づいて、各メカニカルリール３Ａ〜３Ｅの回転位置を検出するための回路であって、このリール位置検出回路４６からの検出信号も、インターフェイス回路群１０２に供給され、当該インターフェイス回路群１０２によって所定の信号に変換された後、入出力バス１０４に供給される。
【００６６】
ＣＰＵ１０６は、スタートスイッチ２５によりベーシックゲームのスタート操作が受け付けられたことを契機として、ベーシックゲームプログラムを読み出してベーシックゲームを実行する。ベーシックゲームプログラムは、ステッピングモータ４５Ａ〜４５Ｅ各々を駆動させて全てのメカニカルリール３Ａ〜３Ｅを回転させることによって当該リール３Ａ〜３Ｅのシンボルのスクロールを開始させ、その後にステッピングモータ４５Ａ〜４５Ｅ各々の駆動を停止させて全てのメカニカルリール３Ａ〜３Ｅの回転を停止させることによって当該リール３Ａ〜３Ｅのシンボルの再配置をさせ、そのときの停止したシンボルのコンビネーションがウィニングラインに示されており、かつ、賞を付与する特定のコンビネーションを示す場合には、その賞を付与する特定のコンビネーションに応じたコインを払い出すようにプログラミングされている。
【００６７】
また、ＣＰＵ１０６は、セカンドゲームのコントロールも行う。それゆえ、このＣＰＵ１０６は、全てのメカニカルリール３Ａ〜３Ｅのシンボルが停止表示された際に所定の条件を満たすと、セカンドゲームを実行するための信号を送信する。
【００６８】
入出力バス１０４には、ステッピングモータ４５Ａ〜４５Ｅを駆動するためのモータ駆動回路１２０も接続されている。ＣＰＵ１０６は、所定の事象が発生することに応じて、モータ駆動回路１２０を介して、ステッピングモータ４５Ａ〜４５Ｅの動作をコントロールする。
【００６９】
図９は、スロットマシン１３の表示／入力コントローラ１４０の電気的構成を示すブロック図である。スロットマシン１３の表示／入力コントローラ１４０は、画像表示処理及びタッチパネル３２からの入力コントロールを行うサブマイクロコンピュータであって、インターフェイス回路１４２、入出力バス１４４、ＣＰＵ１４６、ＲＯＭ１４８、ＲＡＭ１５０、ＶＤＰ１５２、ビデオＲＡＭ１５４、画像データ用ＲＯＭ１５６、駆動回路１５８及びタッチパネルコントロール回路１６０を備えている。
【００７０】
インターフェイス回路１４２は、入出力バス１４４に接続されている。上記コントローラ１００側のＣＰＵ１０６から出力された画像表示命令は、インターフェイス回路１４２を介して入出力バス１４４に供給される。この入出力バス１４４は、ＣＰＵ１４６に対するデータ信号又はアドレス信号の入出力を行う。
【００７１】
入出力バス１４４には、ＲＯＭ１４８及びＲＡＭ１５０が接続されている。ＲＯＭ１４８には、上記コントローラ１００側のＣＰＵ１０６からの画像表示命令に基づいて、液晶ディスプレイ３０に供給する駆動信号を生成するための表示コントロールプログラムが格納されている。他方、ＲＡＭ１５０には、上記表示コントロールプログラムで使用するフラグや変数の値が格納されている。
【００７２】
入出力バス１４４には、ＶＤＰ１５２も接続されている。このＶＤＰ１５２は、いわゆるスプライト回路、スクリーン回路及びパレット回路等を含み、液晶ディスプレイ３０に画像を表示させるための種々の処理を行うことができる処理装置である。ＶＤＰ１５２には、上記コントローラ１００側のＣＰＵ１０６からの画像表示命令に応じた画像データを記憶するためのビデオＲＡＭ１５４、及び上記の演出画像データ等を含む各種の画像データを記憶している画像データ用ＲＯＭ１５６が接続されている。更に、ＶＤＰ１５２には、液晶ディスプレイ３０を駆動するための駆動信号を出力する駆動回路１５８も接続されている。
【００７３】
上記ＣＰＵ１４６は、ＲＯＭ１４８に記憶されている表示コントロールプログラムを読み出して実行することにより、上記コントローラ１００側のＣＰＵ１０６からの画像表示命令に応じて液晶ディスプレイ３０に表示する画像データをビデオＲＡＭ１５４に記憶させる。この画像表示命令には、上記演出画像の表示命令等を含む各種の画像表示命令が含まれている。
【００７４】
画像データ用ＲＯＭ１５６は、上記演出画像のデータ等を含む各種の画像データを記憶している。
【００７５】
タッチパネルコントロール回路１６０は、液晶ディスプレイ３０上のタッチパネル３２が入力を受けた信号を入力信号として、入出力バス１４４を介してＣＰＵ１０６に送信する。
【００７６】
図１０は、セカンドゲーム装置１１の平面図である。図２に示すように、セカンドゲーム装置１１は、主にルーレット装置６０と、ベッティングボード７１等からなるＢＥＴ画面７０を表示するディスプレイ６９とからなる。
【００７７】
ルーレット装置６０は、セカンドゲーム装置１１に固定される枠体６１と、枠体６１の内側に回転可能に収納支持されたウィル６２とから基本的に構成されている。そして、ウィル６２上面には凹状のナンバーポケット６３が多数（実施形態では計３８個）形成されている。更に、各ナンバーポケット６３の外方向におけるウィル６２の上面には、各ナンバーポケット６３と対応するように図形文字としての「０」、「００」、「１」〜「３６」の各数字が表示された番号表示板６４が形成されている。すなわち、言い換えれば、「０」、「００」、「１」〜「３６」の内、いずれか一の数字が付与されたナンバーポケット６３がウィル６２に対して計３８個形成されている。
【００７８】
また、前記枠体６１内部にはボール投入口６８が形成されている。ボール投入口６８にはボール投入装置（図示せず）が連結され、ボール投入装置の駆動に伴い、ボール投入口６８からウィル６２上にボール６５が投入されるようになっている。また、ルーレット盤の上方全体は、半球状の透明アクリル製のカバー部材６７により覆われている（図２参照）。
【００７９】
また、ウィル６２の下方には当たり判定装置（図示せず）が設置されている。当たり判定装置はボール６５がどのナンバーポケット６３に収容されたかを判定するための装置である。更に、ウィル６２の下方にはボール回収装置（図示せず）が設置されている。このボール回収装置はゲーム終了後にウィル６２上のボール６５を回収する装置である。なお、前記ボール投入装置、当たり判定装置、ボール回収装置については既に公知であることから、ここでの詳細な説明は省略する。
【００８０】
ここで、枠体６１は、緩やかに内側に向け傾斜されており、その中間部にはガイド壁６６が形成されている。ガイド壁６６は、投入されたボール６５を遠心力に抗してガイドしてボール６５を転動させるものである。そして、ボール６５は回転速度が弱まり遠心力を失っていくと、枠体６１の斜面を転がり落ちて内側へと向かい、回転するウィル６２に至る。
【００８１】
そして、ウィル６２に転がってきたボール６５は、更に回転するウィル６２の外側の番号表示板６４上を通っていずれかのナンバーポケット６３に収納される。その結果、ボール６５がナンバーポケット６３に収納され、収納されたナンバーポケット６３に対応する番号表示板６４に記載された数字が当たり判定装置によって判定され、当選番号となる。
【００８２】
一方、ベッティングボード７１を有するＢＥＴ画面７０を表示するディスプレイ６９は、例えば、液晶ディスプレイである。プレーヤが、後述するスロットマシン１３及びセカンドゲーム用端末１５を操作することにより手持ちのクレジットを使用してチップをベットすることによって、ベットされたチップが表示される。なお、スロットマシン１３及びセカンドゲーム用端末１５でのコインなどのゲーム媒体が、ルーレットゲームではチップとしてクレジットをすることとなる。なお、本実施例では、ディスプレイ６９によりＢＥＴ画面７０を表示しているが、ディスプレイ６９をスクリーンにして、天井から下方向に垂直に設けたプロジェクタ等により表示してもよい。この場合、既存の公知技術を用いて、ベットされたチップが立体的に表示できるなど、よりリアルな表示をすることが期待できる。
【００８３】
ディスプレイ６９のＢＥＴ画面７０に表示されるベッティングボード７１には、「０」、「００」、「１」〜「３６」の３８種の数字と同じ数字がマス目状に配列表示されている。また、「奇数の数字」、「偶数の数字」、「番号表示板６４の色の種類（赤又は黒）」、「一定の数字範囲（例えば「１」〜「１２」等）」を指定してチップをベットする為の特殊なＢＥＴエリア７３も同様にマス目状に配列されている。
【００８４】
そして、ベッティングボード７１の右方には結果履歴表示部７２が表示されている。結果履歴表示部７２は、前回までのゲーム（ここで、１ゲームは、スロットマシン１３及びセカンドゲーム用端末１５においてプレーヤがベットを行い、ボール６５がナンバーポケット６３に落下し、当選番号に基づいてクレジットの払い出しが行われるまでの一連の動作をいう。）における当選番号の結果が一覧に表示される。その際、１ゲームが終了すると、新たな当選番号が上から追加して表示されていき、最大１６ゲームの当選番号の履歴を確認することが可能となっている。
【００８５】
また、ＢＥＴエリア７３（番号及びマークのマス目上、若しくはマス目を形成するライン上）は、プレーヤが、スロットマシン１３、及びセカンドゲーム用端末１５を用いてチップをベットした際に、チップがベットされる。
【００８６】
そして、ベッティングボード７１の上部には、ＢＥＴタイム表示部７４が設けられている。ＢＥＴタイム表示部７４はプレーヤがベットすることが可能な残り時間を表示するものであり、例えば、ベット操作の受付開始時には「３０」が表示され、１秒毎に数字が１ずつ減少し、数字が「０」となったときにベット操作の受付を終了する。また、スロットマシン１３及びセカンドゲーム用端末１５においてプレーヤのベット期間が残り５秒となった場合にボール投入装置を駆動させ、ボール６５をルーレット盤上に投入する。
【００８７】
更に、ＢＥＴタイム表示部７４の右側には、ＪＰの現在までに蓄積されたクレジット数を表示するＪＰ表示部７５が設けられている。ここで、ＪＰ表示部７５は全１２箇所のスロットマシン１３及びセカンドゲーム用端末１５から当該ゲームに参加している端末においてベットされたクレジットの内、０．５％のクレジットが累積して加算されるものである。そして、所定のタイミングで発生するＪＰボーナスゲームによって所定の条件を満たした場合にＪＰの当たりとなり、ＪＰのクレジット数が払い出され、払い出されたＪＰの表示部には初期値の数値（例えば５００００クレジット）が表示される。
【００８８】
また、ベッティングボード７１上には、現時点までにおいてベットしたチップの枚数とＢＥＴエリア７３を示すチップマーク７６が表示され、チップマーク７６上に表示された数字が、チップのベット枚数を示す。例えば、図１０に示すように「５」、「６」、「８」、「９」のマス目の交点に置かれた「１」のチップマーク７６は、番号「５」、「６」、「８」、「９」の４つの番号をカバーして１枚のチップをベットしていることを示している。なお、このように４つ番号をカバーしてベットする方法は「コーナー・ベット」と呼ばれるベット方法である。
【００８９】
また、「２ｔｏ１」のマスに置かれた「２０」のチップマーク７６は、番号「１」、「４」、「７」、・・・の列の１２個の番号をカバーして２０枚のチップをベットしていることを示している。なお、このように「２ｔｏ１」と書かれたマス目上で１２個の番号をカバーしてベットする方法は「コラム・ベット」と呼ばれるベット方法である。
【００９０】
他にベット方法としては、１つ番号のみにベットする「ストレート・ベット」、２つの番号の間のライン上に２つの番号をカバーしてベットする「スプリット・ベット」、番号の横一列（図１０中、縦方向の一列）の端に３つの番号（例えば、「１３」、「１４」、「１５」）をカバーしてベットする「ストリート・ベット」、番号「００」と「３」の間のライン上に「０」、「００」、「１」、「２」、「３」の５つの番号をカバーしてベットする「ファイブ・ベット」、番号の横二列（図１０中、縦方向の二列）の番号の間に６つの番号（例えば、「１３」、「１４」、「１５」、「１６」、「１７」、「１８」）をカバーしてベットする「ライン・ベット」、「１ｓｔ１２」、「２ｎｄ１２」、「３ｒｄ１２」と書かれたマス目上でそれぞれ１２個の番号をカバーしてベットする「ダズン・ベット」がある。更に、ベッティングボード７１の最下段に設けられた６つのマス目を用いて、番号表示板６４の色（「赤」又は「黒」）をカバーしてベットする「レッド／ブラック」、番号の奇数偶数をカバーしてベットする「イーブン／オッド」、番号が１８以下か１９以上かによって１８個の番号をカバーしてベットする「ロー／ハイ」がある。ここで、これら複数のベット方法は、ベットしたチップが当たった際のチップ１枚あたりのクレジットの配当（配当倍率）がそれぞれ異なっている。
【００９１】
図１１は、センターコントローラ１４のコントローラ２００の電気的構成を示すブロック図である。図１１に示すように、センターコントローラ１４は、センターコントローラ１４のコントローラ２００、及びいくつかの周辺装置機器により構成されている。また、センターコントローラ１４の通信用インターフェイス回路２１２を介して、複数（実施形態では８台）のスロットマシン１３、及び複数（実施形態では４台）のセカンドゲーム用端末１５が接続されている。
【００９２】
また、センターコントローラ１４のコントローラ２００は、入出力バス２０４、ＣＰＵ２０６、ＲＯＭ２０８、ＲＡＭ２１０、通信用インターフェイス回路２１２、タイマ２１４、床面駆動回路２１６、ゲームコントローラ２１８、及び表示コントローラ２２０を備えている。
【００９３】
入出力バス２０４には、ＲＯＭ２０８及びＲＡＭ２１０が接続されている。
【００９４】
ＣＰＵ２０６は、各スロットマシン１３及びセカンドゲーム用端末１５から供給される入力信号等、並びにＲＯＭ２０８、及びＲＡＭ２１０に記憶されたデータやプログラムに基づいて、各種の処理を行い、その結果に基づいてスロットマシン１３及びセカンドゲーム用端末１５に命令信号を送信する。このことにより、各スロットマシン１３及びセカンドゲーム用端末１５を主導的にコントロールし、ゲームを進行させる。更に、入出力バス２０４は、ゲームコントローラ２１８を介してセカンドゲーム装置１１と接続されている。ＣＰＵ２０６は、セカンドゲーム装置１１のルーレット装置６０に備えられた図示しない駆動モータを駆動させることにより、ボール６５の発射やウィル６２の回転を行うと共に、ボール６５の落下位置を特定する当たり判定装置をコントロールする。このことにより、ボール６５が落下した当選番号の判定を行う。そして、得られた当選番号と、各スロットマシン１３及びセカンドゲーム用端末１５から送信されたベット情報とに基づいて、ベットされたチップの当たり判定を行い、各スロットマシン１３及びセカンドゲーム用端末１５において払い出されるクレジット数を計算する。
【００９５】
ＲＯＭ２０８は、例えば、半導体メモリ等により構成され、セカンドゲーム装置１１の基本的な機能を実現させるためのプログラムや、視点可動カメラ１７の機能を実現させるためのプログラム、各スロットマシン１３及びセカンドゲーム用端末１５とを主導的にコントロールするためのプログラム等を記憶する。プログラムには、図２０Ａ乃至図２０Ｄに示すプログラムを挙げることができる。また、ルーレットゲームに対する配当倍率（チップ一枚あたりの当たりに対するクレジットの払い出し数）を記憶する。
【００９６】
具体的には、ＲＯＭ２０８にはＢＥＴ画面７０を用いたルーレットゲームに関する配当倍率が記憶された配当クレジット記憶エリア（図示せず）が設けられている。なお、配当クレジット記憶エリアに記憶されたＢＥＴ画面７０の各ＢＥＴエリア７３に対する配当倍率は、そのベット方法の種類（「ストレート・ベット」、「コーナー・ベット」、「スプリット・ベット」等）によって「×２」〜「×３６」の倍率が予め決定され記憶されている。
【００９７】
この配当クレジット記憶エリアに記憶されたＢＥＴ画面７０の各ＢＥＴエリア７３に対する配当倍率は、スロットマシン１３と、セカンドゲーム用端末１５と、で異なる倍率としてもよい。
【００９８】
また、セカンドゲームに移行したスロットマシン１３のベーシックゲームでベットしたクレジット数に応じて倍率を定めてもよい。また、スロットマシン１３のベーシックゲームでベットしたクレジット数に応じて、ルーレットでの賭けパターンを変更するようにしてもよい。より具体的には、クレジット数が１であった場合には、「レッド／ブラック」、「イーブン／オッド」、又は「ロー／ハイ」のいずれか１箇所しか賭けることができないようにする、などの制約を設けるようにしてもよい。更にまた、ルーレットゲームを行うときにスロットマシン１３のコインを追加のクレジットとして使用することを許容し、追加のクレジット数に応じて倍率を変更するようにしてもよいし、トータルの賭けクレジット数に応じて倍率を変更するようにしてもよい。
【００９９】
このように、ルーレットゲームの配当倍率は比較的高く構成されるため、プレーヤのベットの方法によっては高配当が期待できる。
【０１００】
一方、ＲＡＭ２１０は、スロットマシン１３及びセカンドゲーム用端末１５から供給されるチップのベット情報、センサにより判定されたルーレット装置６０の当選番号、現在までに累積されたＪＰの額、及びＣＰＵ２０６により実行された処理の結果に関するデータ等を一時的に記憶する。
【０１０１】
具体的には、ＲＡＭ２１０には、現在プレイ中のプレーヤのベット情報が記憶されるベット情報記憶エリア、並びに、当たり判定装置により判定されたルーレット装置６０の当選番号を記憶した当選番号記憶エリア、ＢＥＴ画面７０（図１０参照）でベットされたクレジット数の０．５％が累積加算されたクレジット数が記憶されるＪＰ累積記憶エリア（図示せず）が設けられている。なお、ベット情報とは、より具体的には、ＢＥＴ画面７０において指定したＢＥＴエリア７３、並びにベットしたチップの枚数（ベット数）、ベット方法の種類等のスロットマシン１３及びセカンドゲーム用端末１５を用いて行ったベットに関する情報である。
【０１０２】
入出力バス２０４には、時間計測を行うタイマ２１４が接続されている。タイマ２１４の時間情報は入出力バス２０４を経由してＣＰＵ２０６に送信され、ＣＰＵ２０６はタイマ２１４の時間情報に基づいて後述のようにウィル６２の回転動作やボール６５の投入を行う。
【０１０３】
入出力バス２０４には、床面駆動回路２１６も接続されている。ＣＰＵ２０６は、スロットマシン１３からセカンドゲームを開始するための信号を受信することに応じて、床面駆動回路２１６を介して、可動式床面１８を上昇させるコントロールを行う。また、ＣＰＵ２０６は、スロットマシン１３からセカンドゲームを終了するための信号を受信することに応じて、床面駆動回路２１６を介して、可動式床面１８を下降させるコントロールを行う。
【０１０４】
入出力バス２０４には、表示コントローラ２２０も接続されている。ＣＰＵ２０６は、ＲＯＭ２０８、及びＲＡＭ２１０に記憶されたデータやプログラムに基づいて、各種の処理を行い、その結果に基づいてモニタ１６をコントロールし、画像を表示する。
【０１０５】
入出力バス２０４には、視点可動カメラ１７も接続されている。ＣＰＵ２０６は、ＲＯＭ２０８、及びＲＡＭ２１０に記憶されたデータやプログラムに基づいて、各種の処理を行い、その結果に基づいて視点可動カメラ１７をコントロールし、画像を撮像する。
【０１０６】
図１２は、セカンドゲーム用端末１５を示す斜視図である。図１２に示すように、セカンドゲーム用端末１５は、少なくとも、コインなどのゲーム媒体を投入するコイン投入口９１と、プレーヤにより所定の指示が入力される複数のコントロールボタン等からなるコントロール部９２と、ゲームに係る画像を表示させるディスプレイ９３とを有し、このディスプレイ９３は、プレーヤのベット操作を受け付ける役割をも担う。そして、プレーヤがディスプレイ９３に表示される画像を見ながら、タッチパネル９９やコントロール部９２等を操作することにより、展開されるゲームを進行させることができる。なお、セカンドゲーム用端末１５で用いるゲーム媒体においても、コインに限るものではない。
【０１０７】
また、各セカンドゲーム用端末１５が備えるキャビネット９０の側面には、コイントレイ９４が設けられている。更に、各セカンドゲーム用端末１５のディスプレイ９３の右上方には音楽、効果音等を流すスピーカ９５が設けられている。
【０１０８】
また、コイン投入口９１の内部にはコインセンサ３１４（図１３参照）が設けられており、コイン投入口９１より投入されたコイン等のゲーム媒体の識別を行うと共に、投入されたコインをカウントする。また、コイントレイ９４の内部にはホッパー３１９（図１３参照）が設けられており、所定枚数のコインをコイントレイ９４から払い出す。
【０１０９】
このように、セカンドゲーム用端末１５のタッチパネル９９を使用することにより、プレーヤの操作性を容易にしている。結果として、遊技施設の第三者は、気軽にセカンドゲーム用端末１５を使用してルーレットゲームに参加することが可能となる。
【０１１０】
図１３は、セカンドゲーム用端末１５のコントローラ３００の電気的構成を示すブロック図である。図１３に示すように、セカンドゲーム用端末１５は、セカンドゲーム用端末１５のコントローラ３００、及びいくつかの周辺装置機器により構成されている。
【０１１１】
コントローラ３００は、インターフェイス回路群３０２、入出力バス３０４、ＣＰＵ３０６、ＲＯＭ３０８、ＲＡＭ３１０、液晶駆動回路３１６、ホッパー駆動回路３１８、及び音出力回路３２０を備えている。
【０１１２】
インターフェイス回路群３０２は、入出力バス３０４に接続されており、この入出力バス３０４は、ＣＰＵ３０６に対するデータ信号又はアドレス信号の入出力を行う。
【０１１３】
インターフェイス回路群３０２には、コントロール部９２（図１２参照）に設けられたＢＥＴ確定ボタン９６、キャッシュアウトボタン９７、及びヘルプボタン９８がそれぞれ接続されている。これらの各ボタンから出力される操作信号は、インターフェイス回路群３０２において所定の信号に変換された後、入出力バス３０４に供給される。そして、ＣＰＵ３０６は各ボタンの押下等により出力され、入出力バス３０４から供給される操作信号に基づき、対応する各種の動作を実行すべくコントロールを行う。
【０１１４】
また、入出力バス３０４を介して接続されるインターフェイス回路群３０２にはコインセンサ３１４が接続されている。コインセンサ３１４はコイン投入口９１（図１２参照）から投入されたコインを検出すると共に、投入されたコインを演算し、その結果をＣＰＵ３０６に対して送信する。そして、ＣＰＵ３０６では、送信された信号に基づいてＲＡＭ３１０に記憶されたプレーヤの所有するクレジット数を増加させる。
【０１１５】
入出力バス３０４には、ＲＯＭ３０８及びＲＡＭ３１０が接続されている。
【０１１６】
ＣＰＵ３０６は、センターコントローラ１４のコントローラ２００内のＣＰＵ２０６からの命令信号を、入出力バス３０４に接続された通信用インターフェイス回路３１２を介して受信する。この命令信号に基づいてセカンドゲーム用端末１５を構成する周辺機器をコントロールし、セカンドゲーム用端末１５においてルーレットゲームを進行させる。また、ＣＰＵ３０６は、処理の内容によっては、プレーヤの操作が入力されたことを受けてコントロール部９２から供給される入力信号、及びＲＯＭ３０８とＲＡＭ３１０とに記憶されたデータやプログラムに基づいて、各種の処理を実行する。そして、その結果に基づいて、通信用インターフェイス回路３１２を経由して前述のセンターコントローラ１４のコントローラ２００内のＣＰＵ２０６に送信し、及びセカンドゲーム用端末１５を構成する周辺機器をコントロールし、セカンドゲーム用端末１５においてルーレットゲームを進行させる。
【０１１７】
ＲＯＭ３０８は、例えば、半導体メモリ等により構成され、セカンドゲーム用端末１５の基本的な機能を実現させるためのプログラム、その他セカンドゲーム用端末１５のコントロール上必要な各種のプログラム、データテーブル等が格納されている。プログラムには、図２０Ａ乃至図２０Ｄに示すプログラムを挙げることができる。また、ＲＡＭ３１０は、ＣＰＵ３０６で演算された各種データ、プレーヤの現在所有する（セカンドゲーム用端末１５に貯留された）クレジット数、プレーヤによるチップのベット状況等を一時的に記憶しておくメモリである。
【０１１８】
また、入出力バス３０４には、ホッパー駆動回路３１８が接続されている。ＣＰＵ３０６からの命令信号により、ホッパー駆動回路３１８を介して接続されたホッパー３１９は、所定枚数のコインをコイントレイ９４（図１２参照）から払い出す。
【０１１９】
更に、入出力バス３０４には、液晶駆動回路３１６を介してディスプレイ９３が接続されている。液晶駆動回路３１６は、図示していないが、プログラムＲＯＭ、画像ＲＯＭ、画像コントロールＣＰＵ、ワークＲＡＭ、ＶＤＰ（ビデオ・ディスプレイ・プロセッサ）及びビデオＲＡＭなどで構成されている。そして、プログラムＲＯＭには、ディスプレイ９３での表示に関する画像コントロール用プログラムや各種選択テーブルが格納されている。また、画像ＲＯＭには、例えば、ディスプレイ９３で表示される画像を形成するためのドットデータが格納されている。また、画像コントロールＣＰＵは、ＣＰＵ３０６で設定されたパラメータに基づき、プログラムＲＯＭ内に予め記憶された画像コントロールプログラムに従い、画像ＲＯＭ内に予め記憶されたドットデータの中からディスプレイ９３に表示する画像の決定を行うものである。また、ワークＲＡＭは、前記画像コントロールプログラムを画像コントロールＣＰＵで実行するときの一時記憶手段として構成される。また、ＶＤＰは、画像コントロールＣＰＵで決定された表示内容に応じた画像を形成し、ディスプレイ９３に出力するものである。なお、ビデオＲＡＭは、ＶＤＰで画像を形成するときの一時記憶手段として構成される。
【０１２０】
また、ディスプレイ９３の前面には、前述のようにタッチパネル９９が取り付けられており、タッチパネル９９の操作情報は入出力バス３０４を介してＣＰＵ３０６に対して送信される。タッチパネル９９では、ディスプレイ９３に表示される後述の図２３に示すようなＢＥＴ画面７０においてプレーヤのチップのベット操作が行われる。具体的には、後述するＢＥＴエリア７３の選択、単位ＢＥＴボタン７７の操作等においてタッチパネル９９の操作が行われ、その情報がＣＰＵ３０６に送信される。そして、その情報に基づいてＲＡＭ３１０に現在のプレーヤのベット情報（ＢＥＴ画面７０において指定したＢＥＴエリア７３、並びにベットしたチップの枚数）が随時記憶される。更に、そのベット情報はセンターコントローラ１４のＣＰＵ２０６に対して送信され、ＲＡＭ２１０のベット情報記憶エリアに記憶される。
【０１２１】
また、入出力バス３０４には、音出力回路３２０及びスピーカ９５が入出力バス３０４と接続されており、スピーカ９５は、音出力回路３２０からの出力信号に基づき各種演出を行う際に各種の効果音を発生するものである。
【０１２２】
図１４乃至図１６は、本発明の実施形態に係るスロットマシン１３及び椅子５７が固設される可動式床面１８を示すものである。図１４は、可動式床面１８が上昇したときの様子を示している。可動式床面１８は、着地面５３上に置かれた基礎台５４と、基礎台５４上に、長方形の基礎台５４の隅の四方及びその基礎台５４の中心部に配設された電子式ジャッキ５５と、電子式ジャッキ５５の外筒に挿通されている昇降ロッド５６とから構成されている。センターコントローラ１４のＣＰＵ２０６からの信号により、床面駆動回路２１６を介して電子式ジャッキ５５が昇降ロッド５６を上昇及び下降させる。図１５は、可動式床面１８が下降したときの様子を示す。昇降ロッド５６が電子式ジャッキ５５の外筒に沈み込むことにより、可動式床面１８が下降する。また、図１６は、可動式床面１８を上方向から見た図である。前述のとおり、５箇所の支柱に支えられることにより、スロットマシン１３及び椅子５７が可動式床面１８上に乗っており、かつ、プレーヤが乗った場合であっても、安定して上昇、下降をすることが可能となる。
【０１２３】
なお、可動式床面１８の上昇、下降についての仕組みは、ここで示した仕組みに限らず、既存での床面上昇手段として使用されているあらゆる手段を用いることができる。このように、床面を上昇及び下降させる仕組みをルーレットゲームへの移行時に効果的に用いることにより、ルーレットゲームへ移行したプレーヤが、他のスロットマシン１３のプレーヤや遊技施設の第三者から明らかになる。このような効果は、スポットライトがあたるような効果に匹敵する効果を与えることができる。
【０１２４】
図１７は、後述の図１９で説明するスロットマシン１３のベーシックゲームで使用されるベーシックゲーム用乱数テーブルを示したものである。このベーシックゲーム用乱数テーブルでは、賞を付与する特定のコンビネーション毎に乱数の範囲及び当たりの確率が対応付けられて登録されている。それゆえ、後述のコンビネーション決定処理（図１９のステップＳ５）において、例えば、「０」〜「６５５３５」の乱数のうち「０」〜「９９９」の範囲内での乱数が抽出された場合に、最終的なベーシックゲームの結果として「ＢＯＮＵＳ」の賞を付与する特定のコンビネーションを発生させることがスロットマシン１３内部で決定される。言い換えると、停止シンボルのコンビネーションが「ＢＯＮＵＳ」の賞を付与する特定のコンビネーションとして決定される確率は、「１０００／６５５３６」となる。また、例えば、「０」〜「６５５３５」の乱数のうち「２０００」〜「３４９９」の範囲内での乱数が抽出された場合に、最終的なベーシックゲームの結果として「Ｋ」の賞を付与する特定のコンビネーションを発生させることがスロットマシン１３内部で決定される。言い換えると、停止シンボルのコンビネーションが「Ｋ」の賞を付与する特定のコンビネーションとして決定される確率は、「１５００／６５５３６」となる。他方、「０」〜「６５５３５」の乱数のうち「１００００」〜「６５５３５」の範囲内での乱数が抽出された場合に、最終的なベーシックゲームの結果として、その他であるハズレを発生させることがスロットマシン１３内部で決定される。言い換えると、停止シンボルのコンビネーションがハズレを示すコンビネーションとして決定される確率は、「５５５３６／６５５３６」となる。
【０１２５】
図１８は、後述の図１９にて説明するベーシックゲームで使用されるベーシックゲーム用ペイアウトテーブルを示したものである。このベーシックゲーム用ペイアウトテーブルでは、賞を付与する特定のコンビネーションに、１ゲームでＢＥＴされたクレジット数毎に払い出すべきコインの枚数が対応付けられて登録されている。それゆえ、賞を付与する特定のコンビネーションか否かを判定する時に、例えば、コンビネーションとして「Ｋ」が発生した場合には、ＢＥＴされたクレジット数が「１」であると１０枚のコインが払い出され、ＢＥＴされたクレジット数が「２」であると２０枚のコインが払い出され、ＢＥＴされたクレジット数が「３」であると３０枚のコインが払い出される。なお、例えば、コンビネーションとして「ＢＯＮＵＳ」が発生した場合には、ＢＥＴされたクレジット数が「１」であると１００枚のコインが、ＢＥＴされたクレジット数が「２」であると２００枚のコインが、ＢＥＴされたクレジット数が「３」であると３００枚のコインが、クレジットデータとしてセンターコントローラ１４に送信され、後述のセカンドゲームでクレジットとして使用可能となる。
【０１２６】
図１９は、スロットマシン１３のコントローラ１００によって実行される、スロットマシン１３のベーシックゲームにおける処理動作の流れを示すフローチャートである。これは、予め実行されている、スロットマシン１３のメインプログラムから所定のタイミングで呼び出されて実行される。
【０１２７】
以下においては、スロットマシン１３は予め起動されており、他方、上記コントローラ１００側のＣＰＵ１０６において用いられる変数は所定の値に初期化されており、それによってスロットマシン１３が定常動作しているものとする。
【０１２８】
まず、上記のコントローラ１００側のＣＰＵ１０６は、プレーヤが投入したコインの残数であるクレジットが残っているか否かを判断する（ステップＳ１）。具体的には、ＣＰＵ１０６は、ＲＡＭ１１０に記憶されたクレジット数Ｃを読み出し、この読み出したクレジット数Ｃに基づいて処理を行う。クレジット数Ｃが「０」である場合（ステップＳ１の処理でＮＯと判断される場合）には、ＣＰＵ１０６は、ゲームを開始することができないので、何ら処理を行うことなく本ルーチンを終了させる。他方、クレジット数Ｃが「１」以上である場合（ステップＳ１の処理でＹＥＳと判断される場合）には、ＣＰＵ１０６は、クレジットが残っていると判断し、処理をステップＳ２に移す。
【０１２９】
ステップＳ２に移行すると、ＣＰＵ１０６は、スピン・リピート・ベットスイッチ２４の押圧操作が行われたか否かを判断する。スピン・リピート・ベットスイッチ２４が押され、これに伴って当該スピン・リピート・ベットスイッチ２４からの操作信号が入力された場合（ステップＳ２の処理でＹＥＳと判断される場合）には、ＣＰＵ１０６は、処理をステップＳ１２に移す。他方、所定時間が経過してもスピン・リピート・ベットスイッチ２４からの操作信号が入力されない場合（ステップＳ２の処理でＮＯと判断される場合）には、ＣＰＵ１０６は、スピン・リピート・ベットスイッチ２４が押されていないと判断し、処理をステップＳ３に移す。
【０１３０】
ステップＳ３に移行すると、ゲーム条件を設定する。具体的には、ＣＰＵ１０６は、ＢＥＴスイッチ２３の操作に基づいて、本ゲームでのウィニングラインに対して賭けるコインの枚数を決定する。このとき、ＣＰＵ１０６は、ＢＥＴスイッチ２３の操作が行われたことによって発せられた操作信号を受信し、この受信した操作信号を受信した回数に基づいて、ウィニングラインに関するＢＥＴ数をＲＡＭ１１０の所定のメモリ領域に記憶させる。ＣＰＵ１０６は、ＲＡＭ１１０の所定のメモリ領域に書き込まれたクレジット数Ｃを読み出し、この読み出したクレジット数Ｃから上記ＢＥＴ数を加えた総ＢＥＴ数を減算し、この減算した値をＲＡＭ１１０の所定のメモリ領域に記憶させる。その後、ＣＰＵ１０６は、処理をステップＳ４に移す。
【０１３１】
ステップＳ４に移行すると、ＣＰＵ１０６は、スタートスイッチ２５がＯＮであるか否かを判断することにより、スタートスイッチ２５が操作されるのを待つ。スタートスイッチ２５が操作され、これに伴って当該スタートスイッチ２５からの操作信号が入力された場合（ステップＳ４の処理でＹＥＳと判断される場合）には、ＣＰＵ１０６は、スタートスイッチ２５が操作されたと判断し、処理をステップＳ５に移す。
【０１３２】
他方、ステップＳ１２に移行すると、ＣＰＵ１０６は、クレジット数Ｃの値が前回のゲームにおける総賭け数の値以上であるか否かを判断する。換言すると、ＣＰＵ１０６は、スピン・リピート・ベットスイッチ２４が押圧操作されたことによりゲームを開始できるか否かを判断する。具体的には、スピン・リピート・ベットスイッチ２４が押され、これに伴って当該スイッチ２４から操作信号が入力されると、ＣＰＵ１０６は、上記ＲＡＭ１１０に所定のメモリ領域に書き込まれたクレジット数Ｃ及び前回のゲームでのウィニングラインＬ１〜Ｌ９に関するＢＥＴ数を読み出し、この読み出したクレジット数Ｃ及びＢＥＴ数の双方の関係に基づいて、当該クレジット数Ｃの値が前回のゲームでの総賭け数の値以上であるか否かに基づいて処理を行う。上記クレジット数Ｃの値が前回のゲームにおける総賭け数の値未満であると判断した場合（ステップＳ１２の処理でＮＯと判断される場合）には、ＣＰＵ１０６は、ゲームを開始できないので、何ら処理を行うことなく本ルーチンを終了させる。他方、上記クレジット数Ｃの値が前回のゲームにおける総賭け数以上であると判断した場合（ステップＳ１２の処理でＹＥＳと判断される場合）には、ＣＰＵ１０６は、当該クレジット数Ｃの値から前回のゲームにおける総賭け数の値を減算し、この減算した値をＲＡＭ１１０の所定のメモリ領域に記憶させる。その後、ＣＰＵ１０６は、処理をステップＳ５に移す。
【０１３３】
ステップＳ５に移行すると、ＣＰＵ１０６は、コンビネーション決定処理を行う。このコンビネーション決定処理の具体的な処理内容は、以下のとおりである。
【０１３４】
上記コンビネーション決定処理では、まず、ＣＰＵ１０６は、上記ウィニングラインに沿った停止シンボルのコンビネーションを決定する。具体的には、ＣＰＵ１０６は、乱数発生器１１２に対して乱数を発生させる旨の命令を発し、乱数発生器１１２により発生された所定の範囲の乱数（本実施の形態では「０」〜「６５５３５」）を抽出する。ＣＰＵ１０６は、この抽出した乱数をＲＡＭ１１０の所定のメモリ領域に記憶させる。なお、本実施の形態においては、乱数は、上記ＣＰＵ１０６の外部に設けられた乱数発生器１１２において発生されるが、この乱数発生器１１２を設けることなく、ＣＰＵ１０６の演算処理により発生されるようにしても構わない。ＣＰＵ１０６は、ＲＯＭ１０８に記憶されたベーシックゲーム用乱数テーブル（図１７参照）、及び賞を付与する特定のコンビネーションテーブル（図示せず）を読み出し、この読み出したベーシックゲーム用乱数テーブル、及び賞を付与する特定のコンビネーションテーブルをＲＡＭ１１０の所定のメモリ領域に格納する。なお、ＣＰＵ１０６は、上記ベーシックゲーム用乱数テーブルに基づいてリール毎に停止表示をコントロールする。ＣＰＵ１０６は、上記ＲＡＭ１１０の所定のメモリ領域に格納されたベーシックゲーム用乱数テーブル及び賞を付与する特定のコンビネーションテーブルを読み出し、上記ＲＡＭ１１０の所定のメモリ領域に書き込まれた乱数値をパラメータとして当該ベーシックゲーム用乱数テーブルを参照し、それによって上記ウィニングラインに関する停止シンボルのコンビネーションを決定する。このように、賞を付与する特定のコンビネーションを決定すると、ＣＰＵ１０６は、この決定した賞を付与する特定のコンビネーションデータをＲＡＭ１１０の所定のメモリ領域に記憶させる。ＣＰＵ１０６は、ＲＡＭ１１０の所定のメモリ領域に書き込まれた乱数値、及び賞を付与する特定のコンビネーションデータを読み出し、この読み出した乱数値、及び賞を付与する特定のコンビネーションデータに基づいて、停止表示すべき停止シンボルコンビネーションを決定する。このとき、ＲＯＭ１０８に記憶されたシンボル配置テーブル（図示せず）は、ＣＰＵ１０６によって読み出されてＲＡＭ１１０の所定のメモリ領域に格納されると共に参照される。ＣＰＵ１０６は、上記決定した停止シンボルデータをＲＡＭ１１０の所定のメモリ領域に記憶させる。なお、代替的に、上記のベーシックゲーム用乱数テーブルを用いてリール毎に停止シンボルを決定するようにしても構わない。
【０１３５】
上記ウィニングラインに関する停止シンボルのコンビネーションを決定すると、ＣＰＵ１０６は、当該ウィニングラインに関する停止シンボルのコンビネーションが賞を付与する特定のコンビネーションか否かを判別する。ウィニングラインに関する停止シンボルのコンビネーションが賞を付与する特定のコンビネーションである場合には、ＣＰＵ１０６は、当該ウィニングラインに上記決定した賞を付与する特定のコンビネーションであるシンボルのコンビネーションに対応する賞を発生させるために、その賞を付与する特定のコンビネーションの種類を示す賞を付与することを示すフラグを有効化する。この有効化された賞を付与することを示すフラグは、ＣＰＵ１０６によってＲＡＭ１１０所定のメモリ領域に記憶される。他方、ウィニングラインに関する停止シンボルのコンビネーションがその他のコンビネーション、すなわちハズレのコンビネーションである場合には、ＣＰＵ１０６は、上記賞を付与することを示すフラグを有効化しない。その後、ＣＰＵ１０６は、処理をステップＳ６に移す。
【０１３６】
続くステップＳ６では、ＣＰＵ１０６は、メカニカルリール３Ａ〜３Ｅの回転を開始させる。具体的には、ＣＰＵ１０６は、上記ＲＡＭ１１０に格納されたシンボル配置テーブルに基づいて、各メカニカルリール３Ａ〜３Ｅを順に又は同時に回転させる。なお、ビデオリールを用いたスロットマシン１３の場合には、５個のビデオリールの回転を開始させる画像の表示を行う。
【０１３７】
メカニカルリールのスロットマシン１３の場合、メカニカルリール３Ａ〜３Ｅの回転を開始させた後、ＣＰＵ１０６は、ステッピングモータ４５Ａ〜４５Ｅ各々に送信される駆動パルスの数を計数し、この計数値をＲＡＭ１１０の所定のメモリ領域に記憶させる。各メカニカルリール３Ａ〜３Ｅが回転する度にリセットパルスが取得され、これらの各メカニカルリール３Ａ〜３Ｅのリセットパルスは、リール位置検出回路４６を介して、ＣＰＵ１０６に入力される。こうして得られたリセットパルスにより、上記ＲＡＭ１１０に書き込まれた駆動パルス計数値が「０」にクリアされる。これにより、ＲＡＭ１１０の所定のメモリ領域には、各メカニカルリール３Ａ〜３Ｅについての１回転の範囲内における回転位置に対応した計数値が記憶される。上記ＲＡＭ１１０に格納されたシンボル配置テーブルでは、メカニカルリール３Ａ〜３Ｅ各々の回転位置及びメカニカルリール３Ａ〜３Ｅ各々のシンボル同士が対応付けられている。ＣＰＵ１０６は、シンボル配置テーブルを参照する際に、上記リセットパルスが発生する回転位置を基準として、各メカニカルリール３Ａ〜３Ｅの一定の回転ピッチ毎に順次付与されるコード番号、及びそれぞれのコード番号毎に対応して設けられたシンボルを示すシンボルコード同士を対応付ける。
【０１３８】
メカニカルリール３Ａ〜３Ｅの回転を開始させると、ＣＰＵ１０６は、所定時間が経過するのを待つ（ステップＳ７）。所定時間が経過した時点（ステップＳ７の処理でＹＥＳと判断した時点）で、ＣＰＵ１０６は、各メカニカルリール３Ａ〜３Ｅの回転を自動的に停止させる（ステップＳ８）。具体的には、ＣＰＵ１０６は、上記ＲＡＭ１１０の所定のメモリ領域に書き込まれた賞を付与する特定のコンビネーションに基づいて、上記ステップＳ５で決定した賞を付与する特定のコンビネーションに対応する停止シンボルがプレーヤと視覚的にインタラクティブな関係を有する表示領域内に表示されるように、各メカニカルリール３Ａ〜３Ｅの回転を順に又は同時に停止させる。その後、ＣＰＵ１０６は、処理をステップＳ９に移す。なお、ビデオリールのスロットマシン１３の場合、ＣＰＵ１０６は、所定時間が経過するのを待ち（ステップＳ７）、所定時間が経過した時点（ステップＳ７の処理でＹＥＳと判断した時点）で、ＣＰＵ１０６は、５個のビデオリールの回転を停止させる画像の表示を行う（ステップＳ８）。
【０１３９】
ステップＳ９に移行すると、ＣＰＵ１０６は、ステップＳ５でのコンビネーション決定処理によって、所定のシンボルコンビネーションが成立するか否かを判断する。具体的には、ＣＰＵ１０６は、上記ＲＡＭ１１０の所定のメモリ領域に記憶されたウィニングラインに関する賞を付与することを示すフラグの状態に基づいて判断する。賞を付与することを示すフラグが有効化されていない場合、つまり、賞を付与する特定のコンビネーションが「その他」である場合（ステップＳ９でＮＯと判断される場合）には、ＣＰＵ１０６は、賞を付与する特定のコンビネーションが成立していないと判断し、本ルーチンを終了させる。他方、賞を付与することを示すフラグが有効化されている場合、つまり、賞を付与する特定のコンビネーションが上記の「その他」以外の場合（ステップＳ９の処理でＹＥＳと判断される場合）には、ＣＰＵ１０６は、処理をステップＳ１０に移す。
【０１４０】
ステップＳ１０に移行すると、ＣＰＵ１０６は、賞を付与する特定のコンビネーションが「ＢＯＮＵＳ」か否かを判断する。「ＢＯＮＵＳ」とは、具体的には、後述の図２１で示すように、ウィニングラインに沿って「ＢＯＮＵＳ」の図柄が成立することである。本実施例では、「ＢＯＮＵＳ」が成立すると、セカンドゲームが開始される。ＣＰＵ１０６は、上記ＲＡＭ１１０の所定のメモリ領域に記憶された賞を付与する特定のコンビネーションデータに基づいて判断する。賞を付与する特定のコンビネーションデータが「ＢＯＮＵＳ」でない場合（ステップＳ１０の処理でＮＯと判断される場合）には、ＣＰＵ１０６は、賞を付与する特定のコンビネーションとして、「ＢＯＮＵＳ」が成立していないと判断し、処理をステップＳ１３に移す。他方、賞を付与する特定のコンビネーションが「ＢＯＮＵＳ」である場合（ステップＳ１０の処理でＹＥＳと判断される場合）には、ＣＰＵ１０６は、賞を付与する特定のコンビネーションとして「ＢＯＮＵＳ」が成立したと判断し、処理をステップＳ１１に移す。
【０１４１】
ステップＳ１１に移行すると、ＣＰＵ１０６は、後述の図２０Ａ乃至図２０Ｄで示すセカンドゲーム処理を行う。具体的には、ＣＰＵ１０６は、セカンドゲーム開始信号をセンターコントローラ１４に送信する。セカンドゲーム処理を行った後、ＣＰＵ１０６は、本ルーチンを終了させる。
【０１４２】
他方、ステップＳ１３に移行すると、ＣＰＵ１０６は、上記賞を付与する特定のコンビネーションに応じた枚数のコインを払い出す。具体的には、ＣＰＵ１０６は、ベーシックゲーム用ペイアウトテーブルを参照して、上記賞を付与する特定のコンビネーションに対応するコインのペイアウト数を算出する。ＣＰＵ１０６は、上記ＲＡＭ１１０の所定のメモリ領域に格納されたクレジット数を読み出し、この読み出したクレジット数に上記算出したペイアウト数を加算し、この加算値をＲＡＭ１１０の所定のメモリ領域に記憶させる。ＣＰＵ１０６は、当該記憶値をクレジット数表示部４９に表示させる。その後、ＣＰＵ１０６は、本ルーチンを終了させる。
【０１４３】
続いて、図２０Ａ乃至図２０Ｄは、ゲームシステム１０のセカンドゲームにおける処理動作の流れを示すフローチャートである。この図２０Ａ乃至図２０Ｄに基づき、スロットマシン１３のＣＰＵ１０６が実行するスロットマシン１３のセカンドゲーム処理プログラム、センターコントローラ１４におけるＣＰＵ２０６が実行するセンターコントローラ１４のセカンドゲーム処理プログラム、及びセカンドゲーム用端末１５のＣＰＵ３０６が実行するセカンドゲーム用端末１５のセカンドゲーム処理プログラムについて順番に説明する。なお、この図２０Ａ乃至図２０Ｄのフローチャートに示される各プログラムは、スロットマシン１３が備えているＲＯＭ１０８やＲＡＭ１１０、センターコントローラ１４が備えているＲＯＭ２０８やＲＡＭ２１０、又はセカンドゲーム用端末１５が備えているＲＯＭ３０８やＲＡＭ３１０に記憶されており、スロットマシン１３のＣＰＵ１０６、センターコントローラ１４のＣＰＵ２０６、又はセカンドゲーム用端末１５のＣＰＵ３０６により実行される。
【０１４４】
先ず、図２０Ａ乃至図２０Ｄに基づいてスロットマシン１３のセカンドゲーム処理プログラムについて説明する。図２０ＡのステップＳ１０１において、ＣＰＵ１０６は、セカンドゲーム開始信号をセンターコントローラ１４に送信する。その後、ＣＰＵ１０６は、処理をステップＳ１０２に移す。セカンドゲーム開始信号には、少なくとも、当該スロットマシン１３を特定するデータ、ベーシックゲームで「ＢＯＮＵＳ」コンビネーションが成立したときのベットしたクレジット数、及びウィニングラインの情報を含む。
【０１４５】
ステップＳ１０２では、ＣＰＵ１０６は、スロットマシン１３の液晶ディスプレイ３０に、後述の図２３に示すＢＥＴ画面７０を表示し（ステップＳ１０２）、プレーヤがチップをベットすることが可能なベット期間として、ベット操作受付期間を開始する（ステップＳ１０３）。そして、プレーヤは、このベットの受付が可能となったベット期間中に、タッチパネル３２を操作して、自分が予想する番号に関連したＢＥＴエリア７３に自分のチップをベットすることができる。なお、ＢＥＴ画面７０を用いた具体的なベット方法に関しては後述の図２３で説明する。
【０１４６】
その後、ベット期間が終了した旨を示すベット期間終了信号をセンターコントローラ１４のＣＰＵ２０６から受信すると（図２０ＢのステップＳ１０４）、ＣＰＵ１０６は、スロットマシン１３の液晶ディスプレイ３０にベット期間が終了した旨の画像を表示し、タッチパネル３２でのベット操作の受付を終了する（ステップＳ１０５）。その後、ＣＰＵ１０６は、処理を図２０ＣのステップＳ１０６に移す。
【０１４７】
図２０ＣのステップＳ１０６では、ＣＰＵ１０６は、プレーヤによってベット操作期間にベット操作がされたか否かを判断する。ベット操作がされている場合（ステップＳ１０６の処理でＹＥＳと判断される場合）には、ＣＰＵ１０６は、処理をステップＳ１０８に移す。他方、ベット操作がされていない場合（ステップＳ１０６の処理でＮＯと判断される場合）には、ＣＰＵ１０６は、処理をステップＳ１０７に移す。
【０１４８】
ステップＳ１０７では、ＣＰＵ１０６は、「ＢＯＮＵＳ」コンビネーションに応じた払出処理を行い、ベットがされなかった旨のベット情報信号をセンターコントローラ１４に送信する。具体的には、ＣＰＵ１０６は、ベーシックゲーム用ペイアウトテーブル（図１８参照）に基づき、コインのペイアウト数を算出する。ＣＰＵ１０６は、ＲＡＭ１１０の所定のメモリ領域に格納されたクレジット数を読み出し、この読み出したクレジット数に上記算出したペイアウト数を加算し、この加算値をＲＡＭ１１０の所定のメモリ領域に記憶させる。ＣＰＵ１０６は、当該記憶値をクレジット数表示部４９に表示させる。その後、ＣＰＵ１０６は、本ルーチンを終了させる。
【０１４９】
なお、ルーレットゲームを行う条件が整っており、本来ではクレジットゲームを行う必要があるにも拘わらず、ルーレットゲームを放棄した場合には、クレジットの払出を行わないとすることも可能である。
【０１５０】
他方、ステップＳ１０８では、ＣＰＵ１０６は、スロットマシン１３においてプレーヤが行ったベット情報（指定したＢＥＴエリア７３、並びに指定したＢＥＴエリア７３にベットしたチップの枚数（ベット数））を送信する。
【０１５１】
その後、ＣＰＵ１０６は、センターコントローラ１４のＣＰＵ２０６から送信されたクレジットの払出結果を受信する（図２０ＤのステップＳ１０９）。なお、クレジットの払出結果は、ＢＥＴ画面７０を用いて行ったルーレットゲームの勝敗に応じた払出結果である。その後、ＣＰＵ１０６は、処理をステップＳ１１０に移す。
【０１５２】
ステップＳ１１０では、ＣＰＵ１０６は、ステップＳ１０９で受信した払出結果に基づいて、クレジットの払い出しを行う。具体的には、ルーレットゲームの配当に応じた額のクレジットデータがＲＡＭ１１０に記録される。その後、ＣＰＵ１０６は、処理をステップＳ１１１に移す。
【０１５３】
ステップＳ１１１では、ＣＰＵ１０６は、セカンドゲームを終了するか否かを判断する。具体的には、ルーレットゲームにおけるクレジットが残っている場合には、後述の図２４に示すような小ウィンドウ８５を液晶ディスプレイ３０に表示し、プレーヤが選択することにより判断する。そして、ルーレットゲームにおけるクレジットが残っていない場合には、プレーヤの選択の余地はなく、ＣＰＵ１０６は、セカンドゲームを終了する。ルーレットゲームにおけるクレジットが残っていない場合、又はプレーヤがルーレットゲームを終了する旨の選択をした場合（ステップＳ１１１の処理でＹＥＳが判断される場合）には、ＣＰＵ１０６は、処理をステップＳ１１２に移す。他方、ルーレットゲームにおけるクレジットが残っており、かつ、プレーヤがルーレットゲームを続ける旨を選択した場合（ステップＳ１１１の処理でＮＯが判断される場合）には、ＣＰＵ１０６は、処理を図２０ＡのステップＳ１０１に移す。そして、ＣＰＵ１０６は、再度セカンドゲーム開始信号をセンターコントローラ１４に送信することにより、ベット期間が開始され、次のゲームへと移行する。
【０１５４】
ステップＳ１１２では、ＣＰＵ１０６は、センターコントローラ１４にセカンドゲーム終了信号を送信する。そして、ルーレットゲームでのクレジットが残っている場合には、ＣＰＵ１０６は、ベーシックゲームで使用する所定のメモリ領域に格納されたクレジット数を読み出し、この読み出したクレジット数に、ＲＡＭ１１０に記憶されたルーレットゲームの配当に応じたクレジットデータを加算する。そして、この加算値をＲＡＭ１１０の所定のメモリ領域に記憶させ、スロットマシン１３のクレジット数表示部４９に表示させる。その後、ＣＰＵ１０６は、本ルーチンを終了させる。スロットマシン１３において、セカンドゲームが終了される場合には、当該ルーレットゲーム処理を終了する。
【０１５５】
このように、ルーレットゲームで配当を得た場合には、ルーレットゲーム終了時にその配当により増加したクレジットをスロットマシン１３のコインに移行する。このことにより、セカンドゲーム後のベーシックゲームにおいて、当該ルーレットゲームの配当を、コインとして使用することができる。このため、ベーシックゲームと、セカンドゲームとの両ゲームにおいての関連性が高まり、トータルでのゲームシステム１０を使用するゲームの興趣性が向上する。
【０１５６】
次に、図２０Ａ乃至図２０Ｄに基づいてセンターコントローラ１４のセカンドゲーム処理プログラムについて説明する。
【０１５７】
図２０ＡのステップＳ２０１において、ＣＰＵ２０６は、前記ステップＳ１０１でスロットマシン１３のＣＰＵ１０６から送信されたセカンドゲーム開始信号を受信する。セカンドゲーム開始信号を受信すると、ＣＰＵ２０６は、受信したセカンドゲーム開始信号をＲＡＭ２１０に記憶する。また、ＣＰＵ２０６は、セカンドゲーム開始信号を送信したスロットマシン１３と椅子５７とが固設された可動式床面１８を上昇させる。更に、大型のモニタ１６に、セカンドゲームが開始される旨の表示を行う。このようなスロットマシン１３の可動式床面１８の上昇や、大型のモニタ１６へのセカンドゲーム開始メッセージにより、他のスロットマシン１３でのプレーヤのみならず、遊技施設の第三者も、セカンドゲームが開始することを知ることができる。その後、ＣＰＵ２０６は、処理をステップＳ２０２に移す。
【０１５８】
ステップＳ２０２では、ＣＰＵ２０６は、セカンドゲーム開始信号を、セカンドゲーム用端末１５に送信する。ＣＰＵ２０６は、このセカンドゲーム開始信号を、セカンドゲーム用端末１５に送信することにより、セカンドゲーム用端末１５を用いてルーレットゲームに参加することが可能となる。その後、ＣＰＵ２０６は、処理をステップＳ２０３に移す。
【０１５９】
ステップＳ２０３では、ＣＰＵ２０６は、スロットマシン１３によってセカンドゲーム開始信号が送信された時点より、プレーヤがベット可能な受入期間であるベット期間の計測を開始する。このベット期間に、ゲームに参加するスロットマシン１３のプレーヤは、このベット期間中に、液晶ディスプレイ３０のタッチパネル３２を操作して、自分が予想する番号に関連したＢＥＴエリア７３に自分のチップをベットすることができるのである。そして、後述のセカンドゲーム用端末１５のプレーヤもベットすることができる。
【０１６０】
また、プレーヤが操作するスロットマシン１３の液晶ディスプレイ３０及び後述するセカンドゲーム用端末１５のディスプレイ９３により、ベットが確定したことに応じて、ベットした場所及び金額を含むデータをＣＰＵ２０６が受信し、モニタ１６に表示させるようにしてもよい。モニタ１６に表示させることにより、他のプレーヤのベットの様子を見た後に、その結果を踏まえてベットすることが可能となる。その結果、他のプレーヤとの駆け引きを楽しむことができる。その後、ＣＰＵ２０６は、処理をステップＳ２０４に移す。
【０１６１】
ステップＳ２０４では、ＣＰＵ２０６は、ベット期間が残り５秒となったか否かを判断する。なお、残りのベット期間は、ＢＥＴタイム表示部７４によってセカンドゲーム装置１１のＢＥＴ画面７０にも表示される（図１０参照）。そして、ベット期間が残り５秒に到達していないと判定された場合（ステップＳ２０４の処理でＮＯと判断された場合）には、ＣＰＵ２０６は、ステップＳ２０４の処理を繰り返し、残りのベット期間が５秒となるまで継続して待機する。他方、残り５秒であると判定された場合（ステップＳ２０４の処理でＹＥＳと判断された場合）には、ＣＰＵ２０６は、処理を図２０ＢのステップＳ２０５に移す。
【０１６２】
図２０ＢのステップＳ２０５では、ＣＰＵ２０６は、ルーレット盤内部にボール６５を投入する。具体的には、先ずボール投入装置を駆動させ、ルーレット盤内部にボール６５を投入することにより、ゲーム実行プログラムに従ってルーレット装置６０による番号決定処理を実行する。より具体的には、ＣＰＵ２０６は、ボール６５を投入した後、更に駆動モータを駆動させてボール投入方向と逆方向に所定回転速度でウィル６２を回転させる。投入されたボール６５は、ガイド壁６６に沿ってルーレット盤上を転動し、その後、回転速度が弱まり遠心力を失っていくと、枠体６１の斜面を転がり落ちて内側へと向かい、回転するウィル６２に至る（図１０参照）。
【０１６３】
そして、ウィル６２に転がって来たボール６５は、更に回転するウィル６２の外側の番号表示板６４上を通っていずれかのナンバーポケット６３に収まり、ボール６５が収まったナンバーポケット６３に対応する番号表示板６４に記載された数字（図１０に示す「０」、「００」、「１」〜「３６」のいずれか）が当選番号となる。
【０１６４】
更に、ＣＰＵ２０６は、ルーレット盤内部にボール６５を投入することに応じて、視点可動カメラ１７によりルーレット装置６０を撮像し、モニタ１６に表示する。このことにより、プレーヤは、セカンドゲーム装置１１を覗き込むことなく、モニタ１６を見ることで、ルーレットゲームでの当選番号が決まる様子を見ることができる。なお、モニタ１６には、必要に応じて画面を分割し、ルーレット装置６０と、ＢＥＴ画面７０との両方を表示するようにしてもよい。
【０１６５】
その後、ＣＰＵ２０６は、ベット期間が終了したか否かを判断する（ステップＳ２０６）。そして、ベット期間が終了していないと判定された場合（ステップＳ２０６の処理でＮＯが判断された場合）には、ＣＰＵ２０６は、ステップＳ２０６の処理を繰り返し、ベット期間が終了するまで継続して待機する。他方、ベット期間が終了したと判定された場合（ステップＳ２０６の処理でＹＥＳが判断された場合）には、ＣＰＵ２０６は、ベット期間が終了したことを指示するベット期間終了信号をスロットマシン１３のＣＰＵ１０６及びセカンドゲーム用端末１５のＣＰＵ３０６に対して送信する（ステップＳ２０７）。
【０１６６】
その後、ＣＰＵ２０６は、スロットマシン１３及びセカンドゲーム用端末１５においてプレーヤが行ったベット情報（ベットの有無、ベットした場合には指定したＢＥＴエリア７３、並びに指定したＢＥＴエリア７３にベットしたチップの枚数（ベット数）とベット方法）を受信し、ＲＡＭ２１０のベット情報記憶エリアに記憶する（図２０ＣのステップＳ２０８）。このＲＡＭ２１０のベット情報記憶エリアに記憶されたベット情報を、ＣＰＵ２０６は、モニタ１６に表示させるようにしてもよい。なお、ステップＳ２０８で、ベットがされなかった旨の情報を受信した場合には、ＣＰＵ２０６は、スロットマシン１３と椅子５７とが固設された可動式床面１８を下降させる。その後、ＣＰＵ２０６は、処理をステップＳ２０９に移す。
【０１６７】
ステップＳ２０９では、ＣＰＵ２０６は、ステップＳ２０８で受信したスロットマシン１３及びセカンドゲーム用端末１５でベットされた合計クレジットの０．５％に相当するクレジットをＲＡＭ２１０のＪＰ累積記憶エリアに記録されたＪＰの額に累積して加算する。そして、それに伴ってＪＰ表示部７５の表示が更新される。なお、ステップＳ２０８で受信した情報がベットがされなかった旨のベット情報である場合には、本処理は行わない。その後、ＣＰＵ２０６は、処理をステップＳ２１０に移す。
【０１６８】
ステップＳ２１０では、ＣＰＵ２０６は、ボール６５がナンバーポケット６３に収納されたことを判定し、その後、当たり判定装置を駆動させ、ボール６５がどの番号に対応付けられたナンバーポケット６３に収納されたかを判定する。その後、ＣＰＵ２０６は、処理をステップＳ２１１に移す。
【０１６９】
ステップＳ２１１では、ＣＰＵ２０６は、前記ステップＳ２１０で判定されたボール６５が収納されたポケットの番号と、前記ステップＳ２０８で受信したスロットマシン１３及びセカンドゲーム用端末１５のベット情報とから、スロットマシン１３及びセカンドゲーム用端末１５においてベットしたチップが当たりとなっているか否かの判定を行う。その後、ＣＰＵ２０６は、処理をステップＳ２１２に移す。
【０１７０】
ステップＳ２１２では、ＣＰＵ２０６は、配当計算処理を実行する。配当計算処理では、ＣＰＵ２０６は、当選番号にベットされた当たりチップをスロットマシン１３及びセカンドゲーム用端末１５毎に認識し、ＲＯＭ２０８の配当クレジット記憶エリアに記憶された各ＢＥＴエリア７３に対する配当倍率（チップ一枚（１ベット）あたりに払い出されるクレジット数）を用いて、スロットマシン１３及びセカンドゲーム用端末１５に払い出されるクレジットの配当額の合計を計算する。その後、ＣＰＵ２０６は、処理を図２０ＤのステップＳ２１３に移す。この場合、モニタ１６には、当選番号及び当選者数などの情報を表示する。
【０１７１】
図２０ＤのステップＳ２１３では、ＣＰＵ２０６は、前記ステップＳ２１３の配当計算処理に基づくルーレットゲームのクレジットの払出結果の送信処理を実行する。具体的には、ＣＰＵ２０６は、当たりとなったスロットマシン１３及びセカンドゲーム用端末１５に、配当額に相当するクレジットデータを出力する。その後、ＣＰＵ２０６は、処理をステップＳ２１４に移す。
【０１７２】
ステップＳ２１４では、ＣＰＵ２０６は、ウィル６２の下方に設けられたボール回収装置を駆動し、ウィル６２上のボール６５を回収する。回収されたボール６５は次回以降のゲームにおいて再度ルーレット装置６０のウィル６２内に投入されることとなる。
【０１７３】
その後、スロットマシン１３からのセカンドゲーム終了信号を受信する（ステップＳ２１５）。このセカンドゲーム終了信号を受信すると、当該スロットマシン１３と椅子５７とが固設される可動式床面１８を下降させ、本ルーチンを終了する。
【０１７４】
なお、モニタ１６には、全てのスロットマシン１３にてベーシックゲームのみが行われており、セカンドゲームが行われていない間は、ＲＯＭ２０８に記憶されているセカンドゲームのデモンストレーションなどの映像を表示するようにしてもよい。
【０１７５】
最後に、図２０Ａ乃至図２０Ｄに基づいてセカンドゲーム用端末１５のセカンドゲーム処理プログラムについて説明する。
【０１７６】
図２０ＡのステップＳ３０１において、セカンドゲーム用端末１５のＣＰＵ３０６は、前記ステップＳ２０２によりセンターコントローラ１４から送信されたセカンドゲーム開始信号を受信する。この信号を受信することにより、セカンドゲーム用端末１５では、ルーレットゲームの端末での操作が可能となる。その後、ＣＰＵ３０６は、処理をステップＳ３０２に移す。
【０１７７】
ステップＳ３０２では、ＣＰＵ３０６は、プレーヤによりコインが投入されたか否かを、コインセンサ３１４の検出信号に基づいて判定する。そして、コインの投入がない場合（ステップＳ３０２の処理でＮＯと判断された場合）には、ＣＰＵ３０６は、処理をステップＳ３０３に移す。他方、コインの投入があった場合（ステップＳ３０２の処理でＹＥＳと判断された場合）には、ＣＰＵ３０６は、処理を図２０ＢのステップＳ３０４に移す。
【０１７８】
図２０ＡのステップＳ３０３では、ＣＰＵ３０６は、ベット期間終了信号を受信したか否かを判定する。ベット期間終了信号は、ベットする期間が経過した際にセンターコントローラ１４から送信される。この信号を受信していない場合（ステップＳ３０３の処理でＮＯと判断された場合）には、ＣＰＵ３０６は、処理をステップＳ３０２に移す。他方、ベット期間終了信号を受信している場合（ステップＳ３０３の処理でＹＥＳと判断された場合）には、センターコントローラ１４にベットがされなかった旨のベット情報信号を送信した上で、本ルーチンを終了させる。
【０１７９】
図２０ＢのステップＳ３０４では、ＣＰＵ３０６は、投入枚数に応じた額のクレジットデータをＲＡＭ３１０に記録する。その後、ＣＰＵ３０６は、処理をステップＳ３０５に移す。
【０１８０】
ステップＳ３０５では、ＣＰＵ３０６は、セカンドゲーム用端末１５のディスプレイ９３に、後述の図２３に示すＢＥＴ画面７０を表示し（ステップＳ３０５）、プレーヤがチップをベットすることが可能なベット期間を開始する（ステップＳ３０６）。ゲームに参加したプレーヤは、このベットの受付が可能となったベット期間中に、タッチパネル９９を操作して、自分が予想する番号に関連したＢＥＴエリア７３に自分のチップをベットすることができる。なお、ＢＥＴ画面７０を用いた具体的なベット方法に関しては後述する。
【０１８１】
また、プレーヤは、ベット期間が開始されたゲームに途中から参加することも可能であり、実施形態に係るゲームシステム１０では、最大４人がセカンドゲーム用端末１５を用いてセカンドゲームを行うことができる。
【０１８２】
その後、ベット期間が終了した旨を示すベット期間終了信号をセンターコントローラ１４のＣＰＵ２０６から受信すると（ステップＳ３０７）、ＣＰＵ３０６は、セカンドゲーム用端末１５のディスプレイ９３に、ベット期間が終了した旨の画像を表示し、タッチパネル９９でのベット操作の受付を終了する（ステップＳ３０８）。その後、ＣＰＵ３０６は、処理を図２０ＣのステップＳ３０９に移す。
【０１８３】
図２０ＣのステップＳ３０９では、ＣＰＵ３０６は、プレーヤによってベット操作期間にベット操作がされたか否かを判断する。ベット操作がされている場合（ステップＳ３０９の処理でＹＥＳと判断される場合）には、ＣＰＵ３０６は、処理をステップＳ３１１に移す。他方、ベット操作がされていない場合（ステップＳ３０９の処理でＮＯと判断される場合）には、ＣＰＵ３０６は、処理をステップＳ３１０に移す。
【０１８４】
ステップＳ３１０では、ＣＰＵ３０６は、プレーヤにより投入されたコインに応じた払出処理を行い、ベットがされなかった旨のベット情報信号をセンターコントローラ１４に送信する。その後、ＣＰＵ３０６は、本ルーチンを終了させる。
【０１８５】
ステップＳ３１１では、ＣＰＵ３０６は、セカンドゲーム用端末１５においてプレーヤが行ったベット情報（指定したＢＥＴエリア７３、並びに指定したＢＥＴエリア７３にベットしたチップの枚数（ベット数））を送信する。
【０１８６】
その後、ＣＰＵ３０６は、センターコントローラ１４のＣＰＵ２０６から送信されたクレジットの払出結果を受信する（図２０ＤのステップＳ３１２）。なお、クレジットの払出結果は、ＢＥＴ画面７０を用いて行ったルーレットゲームの払出結果である。その後、ＣＰＵ３０６は、処理をステップＳ３１３に移す。
【０１８７】
ステップＳ３１３では、ＣＰＵ３０６は、ステップＳ３１２で受信した払出結果に基づいて、クレジットの払い出しを行う。具体的には、ルーレットゲームの配当に応じた額のクレジットデータがＲＡＭ３１０に記録され、キャッシュアウトボタン９７が押下されると、ＣＰＵ３０６は、ＲＡＭ３１０に記憶されたクレジット数に応じたコインをコイントレイ９４から払い出す。その後、本ルーチンを終了する。なお、スロットマシン１３で再度ゲームが継続する場合には、再度センターコントローラ１４からセカンドゲーム開始信号が送信され、次回のゲームへと移行する。
【０１８８】
図２１及び図２２は、本発明の実施形態におけるスロットマシン１３でのベーシックゲームの表示例を示したものである。スロットマシン１３の液晶ディスプレイ３０には、シンボルが停止表示されている。この実施例の場合、「ＢＯＮＵＳ」が中央部に横一線に並んでおり、ウィニングラインＬ５により「ＢＯＮＵＳ」が成立している。前述のとおり、「ＢＯＮＵＳ」が成立した場合には、セカンドゲームに移行する。そのため、図２２に示すように「おめでとう！！ルーレットゲームを始めよう」という文字を含む小ウィンドウ８５が液晶ディスプレイ３０上に表示される。このような演出により、プレーヤは、「ＢＯＮＵＳ」が揃い、これからルーレットゲームが開始されることを認識することができる。
【０１８９】
図２３は、スロットマシン１３におけるセカンドゲームの表示例として、ルーレットゲームのベット操作をするときに液晶ディスプレイ３０に表示される表示例を示したものである。なお、セカンドゲーム用端末１５のディスプレイ９３においても、同様の表示がされる。前述の図１０で説明したものを除き、図２３に基づいて説明する。
【０１９０】
先ず、このＢＥＴ画面７０は、スロットマシン１３の液晶ディスプレイ３０及びセカンドゲーム用端末１５のディスプレイ９３に表示される。以下、ここでは、スロットマシン１３の液晶ディスプレイ３０に表示されているものとして説明する。ＢＥＴ画面７０に表示されるベッティングボード７１の下方には画面左上から順に、結果履歴表示部７２、単位ＢＥＴボタン７７、ペイアウト数表示部７８、クレジット数表示部７９が表示されている。このペイアウト数表示部７８、及びクレジット数表示部７９は、スロットマシン１３のペイアウト数表示部４８、及びクレジット数表示部４９とは異なり、ルーレットゲームにおけるものを示している。
【０１９１】
単位ＢＥＴボタン７７は、プレーヤが指定したＢＥＴエリア７３（番号及びマークのマス目上、若しくはマス目を形成するライン上）にチップをベットする為のボタンである。単位ＢＥＴボタン７７は１ＢＥＴボタン７７Ａ、５ＢＥＴボタン７７Ｂ、１０ＢＥＴボタン７７Ｃ、１００ＢＥＴボタン７７Ｄの４種類からなる。
【０１９２】
プレーヤは、先ず、ベットするＢＥＴエリア７３を指等で画面を直接押すことにより、後述のカーソル８０で指定する。その状態で、１ＢＥＴボタン７７Ａを押下すると、プレーヤはチップを１枚毎（１ＢＥＴボタン７７Ａを指等で押す毎に「１」→「２」→「３」→・・・の順にベット枚数が増加）にベットする。また、５ＢＥＴボタン７７Ｂを押下すると、チップを５枚単位（５ＢＥＴボタン７７Ｂを指等で押す毎に「５」→「１０」→「１５」→・・・の順にベット枚数が増加）でベットする。また、１０ＢＥＴボタン７７Ｃを押下すると、チップを１０枚単位（１０ＢＥＴボタン７７Ｃを指等で押す毎に「１０」→「２０」→「３０」→・・・の順にベット枚数が増加）でベットする。更に、１００ＢＥＴボタン７７Ｄを押下すると、チップを１００枚単位（１００ＢＥＴボタン７７Ｄを指等で押す毎に「１００」→「２００」→「３００」→・・・の順にベット枚数が増加）でベットすることが可能である。
【０１９３】
従って、多量のチップをベットする際にも、その操作を簡略化することができる。なお、スロットマシン１３のベーシックゲームで使用するコイン１枚は、セカンドゲームで使用するチップ１枚に相当する。
【０１９４】
また、チップをベットする場所は１箇所に限られない。単位ＢＥＴボタンを押下後、再びＢＥＴエリア７３をプレーヤが指定することにより、複数箇所のベット操作が可能となる。
【０１９５】
また、ペイアウト数表示部７８は、前回のゲームにおけるプレーヤのチップのベット枚数、及び払い戻しのクレジット数が表示される。ここで、払い戻しクレジット数よりベット枚数を引いた数が、前回のゲームによりプレーヤが新たに獲得したクレジット数である。この表示例では、スロットマシン１３でセカンドゲームに移行してから最初のゲームであるため、ベット枚数、及び払い戻しのクレジット数は、どちらも「０」となっている。
【０１９６】
更に、クレジット数表示部７９は、現在のプレーヤが所有するクレジット数が表示される。このクレジット数は、チップをベットした際にはそのベット数（１ベットに対して１クレジット）に応じて減少する。また、ベットしたチップが当たり、クレジットの払い戻しがなされた場合には、払い戻し枚数分のクレジット数が増加する。なお、プレーヤが所有するクレジット数が「０」となった場合には、遊技終了となる。この表示例では、スロットマシン１３でクレジット数が「１」である場合にセカンドゲームに移行した場合を示しており、「１」、「４」、「７」、「１０」・・・と続く「２ｔｏ１」に「２０」のチップを、「５」、「６」、「８」、「９」の４つの番号に「１」のチップをベットしているため、移行時のチップ数である「１００」から「２１（２０＋１）」を引いた「７９」がクレジット数として表示されている。
【０１９７】
また、ベッティングボード７１上には、現在プレーヤが選択しているＢＥＴエリア７３を示すカーソル８０が表示される。
【０１９８】
前述のように構成されたＢＥＴ画面７０でプレーヤがベットする際には、先ず、ベットを行うＢＥＴエリア７３（番号及びマークのマス目上、若しくはマス目を形成するライン上）を画面上で指定して直接指により押圧する。その結果、カーソル８０が指定したＢＥＴエリア７３に移動する。
【０１９９】
その後、単位ＢＥＴボタン７７の各単位ボタン（１ＢＥＴボタン７７Ａ、５ＢＥＴボタン７７Ｂ、１０ＢＥＴボタン７７Ｃ、１００ＢＥＴボタン７７Ｄ）を押下することにより、その単位数分のチップが指定されたＢＥＴエリア７３にベットされる。例えば、１０ＢＥＴボタン７７Ｃを４回、５ＢＥＴボタン７７Ｂを１回、１ＢＥＴボタン７７Ａを３回押下すれば、合計４８枚のチップをベットすることができる。プレーヤは、このような機能により、手元の端末操作によってベット操作を行うことができる。
【０２００】
図２４及び図２５は、前述の図２０ＤのステップＳ１１０での払出処理の後に、液晶ディスプレイ３０に表示される様子を示したものである。図２４は、ルーレットゲームにおけるクレジットが残っている場合に、スロットマシン１３の液晶ディスプレイ３０に表示される。ゲームを続行するかどうかをプレーヤに尋ねる小ウィンドウ８５が、画面中央に表示され、その画像の右上方には、カウントダウン数字８１が表示される。例えば、「１０」から順番に「１０」→「９」→「８」・・・とカウントダウンされる。「０」になるまでに画像の下方にあるＹＥＳボタン８２かＮＯボタン８３かのいずれかをタッチパネル３２で押下しない場合、又はカウントダウン中にＮＯボタン８３を押下した場合には、ルーレットゲームを終了するものと判断し、図２５のようなゲーム終了を告げる小ウィンドウ８５を表示する。また、ルーレットゲームにおけるクレジットが残っていない場合には、図２４を介することなく図２５が液晶ディスプレイ３０に表示され、ルーレットゲームが終了する。
【０２０１】
このようにして、本実施形態に係るゲームシステム及びプレイ方法では、スロットマシン１３でベーシックゲームを行っている場合であって、例えば「ＢＯＮＵＳ」等の所定のシンボルのコンビネーションがウィニングラインＬ５上に停止したときに、スロットマシン１３とは別体のセカンドゲーム装置１１で行うルーレットゲームが開始される。この場合、スロットマシン１３は、ルーレットゲームのベット操作が可能な端末と化す。このように、ベーシックゲームから所定の条件によりセカンドゲームのスタート信号がセカンドゲーム装置１１に送信されることにより、プレーヤは、セカンドゲーム装置１１で行うセカンドゲームを行うことができる。そして、ベーシックゲームで「ＢＯＮＵＳ」のコンビネーションにより付与されるクレジットを、ルーレットゲームで使用することができる。ルーレットゲームの配当は、スロットマシン１３に送信されることにより、スロットマシン１３でのベーシックゲームに用いることが可能となる。ルーレットゲームは、プレーヤが、ルーレットゲームのプレイを終了させたい場合や、ベットするクレジットがなくなった場合に終了する。よって、プレーヤのプレイ方法によっては、何回でもルーレットゲームをすることができる。
【０２０２】
また、センターコントローラ１４がセカンドゲームを開始すると、セカンドゲームに移行したスロットマシン１３が、可動式床面１８の上昇に伴って上昇するように構成されている。このことにより、ルーレットゲームのエンターテイメント性を高めることができる。
【０２０３】
また、複数台の視点可動カメラ１７と、ルーレットゲームに参加可能な複数個のセカンドゲーム用端末１５とが設けられている。視点可動カメラ１７により撮影した画像は、大型のモニタ１６に表示されるため、例えば、ルーレットゲームの当選番号の視認が容易になったり、プレーヤの表情が表示されることにより、優越感に浸ることができる。また、セカンドゲーム用端末１５を備えることにより、遊技施設の第三者には、スロットマシン１３でゲームを行っていなくても、ルーレットゲームにのみ参加ことが可能となるので、ゲームに対する興趣性を高めることができる。
【０２０４】
以上、本発明に係るゲームシステムの実施形態を説明したが、具体例を例示したにすぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【０２０５】
例えば、セカンドゲームとして、ルーレットゲームについて記載したが、それに限らず、ポーカーなどのカードゲームやクイズなどの賭け事であってもよい。更には、サイクリングマシンや、乗馬運動装置などを使用した体を動かすものを用いて、コンピュータや他のプレーヤと競争するものも考えられる。
【図面の簡単な説明】
【０２０６】
【図１】図１は、本発明の一実施形態に係るゲームシステムのシステム構成図である。
【図２】図２は、本発明の一実施形態に係るゲームシステムの外観を示す略線図である。
【図３】図３は、本発明の一実施形態に係るスロットマシンを示す斜視図である。
【図４】図４は、本発明の一実施形態に係るスロットマシンの表示領域を拡大して示す拡大正面図である。
【図５】図５は、本発明の一実施形態に係るビデオリールスロットマシンのコントローラの電気的構成を示すブロック図である。
【図６】図６は、本発明の一実施形態に係るスロットマシンの液晶ディスプレイの概略構成を背面側から観た状態で示す斜視図である。
【図７】図７は、図６に示した液晶ディスプレイの一部の構成を示す分解斜視図である。
【図８】図８は、本発明の一実施形態に係るメカニカルリールスロットマシンのコントローラの電気的構成を示すブロック図である。
【図９】図９は、本発明の一実施形態に係るスロットマシンの表示／入力コントローラの電気的構成を示すブロック図である。
【図１０】図１０は、本発明の一実施形態に係るセカンドゲーム装置の平面図である。
【図１１】図１１は、本発明の一実施形態に係るセンターコントローラの電気的構成を示すブロック図である。
【図１２】図１２は、本発明の一実施形態に係るセカンドゲーム用端末を示す斜視図である。
【図１３】図１３は、本発明の一実施形態に係るセカンドゲーム用端末のコントローラの電気的構成を示すブロック図である。
【図１４】図１４は、本発明の一実施形態に係る可動式床面の上昇時を示す側面図である。
【図１５】図１５は、本発明の一実施形態に係る可動式床面の下降時を示す側面図である。
【図１６】図１６は、本発明の一実施形態に係る可動式床面の平面図である。
【図１７】図１７は、ベーシックゲーム用乱数テーブルの構成を示す図である。
【図１８】図１８は、ベーシックゲーム用ペイアウトテーブルの構成を示す図である。
【図１９】図１９は、本発明の一実施形態に係るスロットマシンのベーシックゲームにおける処理動作の流れを示すフローチャートである。
【図２０Ａ】図２０Ａ乃至図２０Ｄは、本発明の一実施形態に係るゲームシステムのセカンドゲームにおける処理動作の流れを示すフローチャートである。
【図２０Ｂ】図２０Ａ乃至図２０Ｄは、本発明の一実施形態に係るゲームシステムのセカンドゲームにおける処理動作の流れを示すフローチャートである。
【図２０Ｃ】図２０Ａ乃至図２０Ｄは、本発明の一実施形態に係るゲームシステムのセカンドゲームにおける処理動作の流れを示すフローチャートである。
【図２０Ｄ】図２０Ａ乃至図２０Ｄは、本発明の一実施形態に係るゲームシステムのセカンドゲームにおける処理動作の流れを示すフローチャートである。
【図２１】図２１は、本発明の一実施形態に係るスロットマシンのベーシックゲームで、表示領域のウィニングラインＬ５上に「ＢＯＮＵＳ」のシンボルコンビネーションが停止したときの表示例である。
【図２２】図２２は、本発明の一実施形態に係るスロットマシンのベーシックゲームで、図２１の図が表示された後に表示される表示例である。
【図２３】図２３は、本発明の一実施形態に係るスロットマシン及びセカンドゲーム用端末のセカンドゲームで、ベット操作時に表示される表示例である。
【図２４】図２４は、本発明の一実施形態に係るスロットマシン及びセカンドゲーム用端末のセカンドゲームで、ゲーム終了時にゲームを続行するかを表す表示例である。
【図２５】図２５は、本発明の一実施形態に係るスロットマシン及びセカンドゲーム用端末のセカンドゲームで、ゲームオーバーとなった表示例である。
【符号の説明】
【０２０７】
１１  セカンドゲーム装置
１３  スロットマシン
１４  センターコントローラ
１５  セカンドゲーム用端末
１６  モニタ
６０  ルーレット装置
６９  ディスプレイ
【図１】
2008036396.tif 000003
【図２】
2008036396.tif 000004
【図３】
2008036396.tif 000005
【図４】
2008036396.tif 000006
【図５】
2008036396.tif 000007
【図６】
2008036396.tif 000008
【図７】
2008036396.tif 000009
【図８】
2008036396.tif 000010
【図９】
2008036396.tif 000011
【図１０】
2008036396.tif 000012
【図１１】
2008036396.tif 000013
【図１２】
2008036396.tif 000014
【図１３】
2008036396.tif 000015
【図１４】
2008036396.tif 000016
【図１５】
2008036396.tif 000017
【図１６】
2008036396.tif 000018
【図１７】
2008036396.tif 000019
【図１８】
2008036396.tif 000020
【図１９】
2008036396.tif 000021
【図２０Ａ】
2008036396.tif 000022
【図２０Ｂ】
2008036396.tif 000023
【図２０Ｃ】
2008036396.tif 000024
【図２０Ｄ】
2008036396.tif 000025
【図２１】
2008036396.tif 000026
【図２２】
2008036396.tif 000027
【図２３】
2008036396.tif 000028
【図２４】
2008036396.tif 000029
【図２５】
2008036396.tif 000030